(57)【要約】【課題】表示データ量の増大に伴い、周波数が高くなると、信号歪が増大し表示画質の劣化が生じ、構成回路の消費電力が増大する。また、複数の信号線で構成されるデータバス上の表示データが、同じタイミングで変化すると同様の問題が生じる。【解決手段】信号処理部１は、第１のパターン３の画像信号ＤＡ１と、第２のパターン４の画像信号ＤＡ２との階調差が、閾値以上かどうかを判定し、判定結果Ｒｅｓｕｌｔを出力する判定部１２と、判定結果Ｒｅｓｕｌｔに応じて、ＣＬＫＯとＣＬＫＥ間の位相差を制御し出力するタイミング制御部１３と、ＣＬＫＯ及びＣＬＫＥを用いて、ＤＡ１とＤＡ２とを結合した画像信号ＤＢ、を表示パネル２に出力するデータ出力部１４とを有する。信号処理部１から、表示パネル２に出力されるＤＢは、同時スイッチングがおきないように制御される。【選択図】図１
2017032974.tif 000002
【特許請求の範囲】
【請求項１】
少なくとも第１のパターンを表示する第１のサブ画素と、第２のパターンを表示する第２のサブ画素から構成された単位画素が、行または列方向に交互に配列された表示パネルと、
前記第１のパターンからなる画像データと前記第２のパターンからなる画像データに対して、前記画像データ内の最大階調値差を変調することにより、前記表示パネルに入力される結合画像信号の各ビット信号間の立ち上がりもしくは立下りの同期もしくは非同期をコントロールする信号処理部と、
を備えることを特徴とする表示装置。
【請求項２】
前記信号処理部は、
サブ画素に入力される第１の画像信号と、前記サブ画素に隣接するサブ画素に入力される第２の画像信号との階調差を検出し、あらかじめ設定された閾値以上であるか否かを判定する判定部と、
同じ周期と位相とパルス幅からなる２つ以上のデータ結合用クロック信号を生成し、前記閾値未満の判定を検出した場合に、前記２つ以上のデータ結合用クロック信号をそのまま出力し、前記閾値以上の判定を検出した場合において、前記２つ以上のデータ結合用クロック信号間の立ち上がりと立下りが同期しないように、少なくとも前記周期もしくは前記位相もしくは前記パルス幅の何れか一つを制御し出力するタイミング制御部と、
前記表示パネルに対して、前記第１の画像信号と前記第２の画像信号とを、前記２つ以上のデータ結合用クロック信号を用いて結合した結合画像信号の出力を行うデータ出力部と、
を備えることを特徴とする請求項１に記載の表示装置。
【請求項３】
前記信号処理部は、
各単位画素に対して、前記第１のサブ画素に入力される第１の画像信号と、前記第２のサブ画素に入力される第２の画像信号との階調差を検出し、あらかじめ設定された閾値以上であるかどうか判定を行う判定部と、
同じ周期と位相とパルス幅からなる２つ以上のデータ結合用クロック信号を生成し、前記閾値未満の判定を検出した場合に、前記２つ以上のデータ結合用クロック信号をそのまま出力し、前記閾値以上と判定を検出した場合において、前記２つ以上のデータ結合用クロック信号間の立ち上がりと立下りが同期しないように、少なくとも前記周期もしくは前記位相もしくは前記パルス幅の何れか一つを制御し出力するタイミング制御部と、
前記表示パネルに対して、前記第１の画像信号と前記第２の画像信号とを、前記２つ以上のデータ結合用クロック信号を用いて結合した結合画像信号の出力を行うデータ出力部と、
を備えることを特徴とする請求項１に記載の表示装置。
【請求項４】
前記判定部は、前記階調差があらかじめ設定された前記閾値以上であると判定された後に、前記階調差を有する領域が、あらかじめ階調差に応じて設定された所定のサブ画素数以上かどうかを判定することを特徴とする請求項２または請求項３に記載の表示装置。
【請求項５】
観察者が立体視するか否かを選択する立体視選択手段を更に備え、
前記選択に応じた立体視選択信号を出力することを特徴とする請求項２から請求項４のいずれか１つに記載の表示装置。
【請求項６】
前記立体視選択手段の選択において、前記立体視する選択を検出した場合に、前記第１の画像信号と前記第２の画像信号間で視差を有する形で前記判定部へ出力し、前記立体視しない選択を検出した場合に、前記第１の画像信号と前記第２の画像信号の間で視差を有さない形で、前記判定部へ出力する立体視切替部を
更に備えることを特徴とする請求項５に記載の表示装置。
【請求項７】
前記データ出力部は、２つ以上のドットクロック信号を用いて１つの結合した結合画像信号を出力することを特徴とする請求項２から６のいずれか１つに記載の表示装置。
【請求項８】
前記データ出力部は、２つ以上のドットクロック信号を夫々用いて、２つ以上の結合した結合画像信号を出力することを特徴とした請求項２から６のいずれか１つに記載の表示装置。
【請求項９】
前記データ出力部は、結合画像信号の周波数を可変することを特徴とする請求項２から８のいずれか１つに記載の表示装置。
【請求項１０】
前記判定部は、前記２つ以上のデータ結合用クロック信号から、前記結合画像信号の立ち上がりもしくは立下りの変化を検知し、検知した変化が立ち上がりもしくは立下りの内、期間の短い方の変化に該当するか否かの判定を行い、
前記タイミング制御部は、該判定に基づいて前記２つ以上のデータ結合用クロック信号を出力する
ことを特徴とする請求項２から９のいずれか１つに記載の表示装置。
【請求項１１】
前記タイミング制御部は、
前記閾値以上と判定を検出した場合において、前記２つ以上のデータ結合用クロック信号間の立ち上がりあるいは立下りのいずれか応答時間が短い方の１つが同期しないように、少なくとも周期もしくは位相もしくはパルス幅の何れか一つを制御し出力する
ことを特徴とする請求項２から１０のいずれか１つに記載の表示装置。
【請求項１２】
前記データ出力部は、前記短い方の応答時間が２分の１以下であることを特徴とする請求項１０または請求項１１に記載の表示装置。
【請求項１３】
サブ画素から構成された単位画素が、行または列方向に交互に配列された表示パネルと、
前記サブ画素とデータ線の配列方向に隣接するサブ画素に入力される画像信号とが、互いに階調反転の関係にある画像データに対して、前記画像データ内の最大階調値差を変調することにより、前記表示パネルに入力される結合画像信号の各ビット信号間の立ち上がりもしくは立下りの同期もしくは非同期をコントロールする信号処理部と
を備えることを特徴とする表示装置。
【請求項１４】
前記信号処理部は、
あるサブ画素に入力される第１の画像信号と、前記あるサブ画素と前記データ線の配列方向に隣接するサブ画素に入力される第２の画像信号とが、互いに階調反転の関係であるかどうか判定を行う判定部と、
同じ周期と位相とパルス幅からなる２つ以上のデータ結合用クロック信号を生成し、前記階調反転の関係ではない判定を検出した場合に、前記２つ以上のデータ結合用クロック信号をそのまま出力し、前記階調反転の関係である判定を検出した場合において、前記２つ以上のデータ結合用クロック信号間の立ち上がりと立下りが同期しないように、少なくとも周期もしくは位相もしくはパルス幅の何れか一つを制御し出力するタイミング制御部と、
前記表示パネルに対して、前記第１の画像信号と前記第２の画像信号とを、前記２つ以上のデータ結合用クロック信号を用いて結合した結合画像信号の出力を行うデータ出力部と、
を備えることを特徴とする請求項１３に記載の表示装置。
【請求項１５】
前記判定部は、前記互いに隣接するサブ画素が階調反転の関係であると判定された後に、前記階調反転の関係を有するサブ画素の領域が、所定のサブ画素数以上かどうかを判定することを特徴とする請求項１４記載の表示装置。
【請求項１６】
サブ画素から構成された単位画素が、行または列方向に交互に配列された表示パネルと、
前記単位画素とデータ線の配列方向に隣接する単位画素に入力される画像信号とが、互いに階調反転の関係にある画像データに対して、前記画像データ内の最大階調値差を変調することにより、前記表示パネルに入力される結合画像信号の各ビット信号間の立ち上がりもしくは立下りの同期もしくは非同期をコントロールする信号処理部と、
を備えることを特徴とする表示装置。
【請求項１７】
前記信号処理部は、
ある単位画素に入力される第１の画像信号と、前記単位画素とデータ線の配列方向に隣接する単位画素に入力される第２の画像信号とが、互いに階調反転の関係であるかどうか判定を行う判定部と、
同じ周期と位相とパルス幅からなる２つ以上のデータ結合用クロック信号を生成し、前記階調反転の関係ではない判定を検出した場合に、前記２つ以上のデータ結合用クロック信号をそのまま出力し、前記階調反転の関係である判定を検出した場合において、前記２つ以上のデータ結合用クロック信号間の立ち上がりと立下りが同期しないように、少なくとも周期もしくは位相もしくはパルス幅の何れか一つを制御し出力するタイミング制御部と、
前記表示パネルに対して、第１の画像信号と第２の画像信号とを、前記２つ以上のデータ結合用クロック信号を用いて結合した結合画像信号の出力を行うデータ出力部と、
を備えることを特徴とする請求項１６に記載の表示装置。
【請求項１８】
前記判定部は、前記互いに隣接する単位画素が階調反転の関係であると判定された後に、前記階調反転の関係を有する単位画素の領域が、所定の単位画素数以上かどうかを判定することを特徴とする請求項１７記載の表示装置。
【請求項１９】
前記データ出力部は、２つ以上のドットクロック信号を用いて１つの結合した結合画像信号を出力することを特徴とする請求項１３から１８のいずれか１つに記載の表示装置。
【請求項２０】
前記データ出力部は、２つ以上のドットクロック信号を夫々用いて、２つ以上の結合した結合画像信号を出力することを特徴とした請求項１３から１８のいずれか１つに記載の表示装置。
【請求項２１】
前記データ出力部は、結合画像信号の周波数を可変することを特徴とする請求項１３から２０のいずれか１つに記載の表示装置。
【請求項２２】
前記表示装置は、列方向に並設されたゲート線を備え、
行方向に隣接するサブ画素は、隣接するゲート線に交互に接続され、
列方向に隣接するサブ画素は、二列ごとに同一のゲート線に接続されている
ことを特徴とする請求項１から請求項１２までのいずれか一つに記載の表示装置。
【請求項２３】
前記表示装置は、行方向に並設されたゲート線を備え、
列方向に隣接するサブ画素は、隣接するゲート線に交互に接続され、
行方向に隣接するサブ画素は、二行ごとに同一のゲート線に接続されている
ことを特徴とする請求項１から請求項１２までのいずれか一つに記載の表示装置。
【請求項２４】
第１のパターンを表示する第１のサブ画素と、第２のパターンを表示する第２のサブ画素から構成された単位画素が、行または列方向に交互に配列された表示パネルに入力する画像信号の処理を行うコンピュータに、
前記第１のサブ画素に入力される第１の画像信号と、前記第２のサブ画素に入力される第２の画像信号とを取得し、
各単位画素にて、前記第１の画像信号及び第２の画像信号の階調差を検出し、
該階調差が閾値以上であるか否かを判定し、
前記階調差が閾値以上でないと判定した場合、前記第１の画像信号及び第２の画像信号の結合用に生成した同一周期、同一位相及び同一パルス幅である２つ以上のクロック信号を同期させて出力し、
前記階調差が閾値以上であると判定した場合、前記２つ以上のクロック信号が同期しないように、前記周期、位相またはパルス幅を制御して出力する
処理を実行させることを特徴とするプログラム。
【発明の詳細な説明】
【技術分野】
【０００１】
本発明は、複数の画素を有する表示装置及びプログラムに関し、特に表示装置内の信号処理部から表示パネルへ送る表示データの伝送方法に関する。
【背景技術】
【０００２】
近年、コンピュータ、カメラ、画像処理等の技術の進歩に伴い、表示装置には高い臨場感が求められている。高い臨場感を達成する表示装置として、観察者の左右の眼に視差画像を提供する立体表示装置や、４Ｋ、８Ｋの超高精細映像を表示する表示装置が開発されている。
【０００３】
立体表示装置には、観察者の左右の眼に夫々異なる画像を届ける手段として、特殊な眼鏡を用いる眼鏡方式と、眼鏡を必要としない裸眼方式があるが、眼鏡をかける煩わしさの点から裸眼方式の発展が期待されている。
【０００４】
一般的に、裸眼方式の立体表示装置は、表示パネルに左眼用及び右眼用の視点画像を表示する単位画素を設け、レンチキュラレンズやパララックスバリア等の光学手段により観察者の左右の眼に対応する画像を振分ける。したがって、視点画像を構成する単位画素が視点数分必要となり、高い臨場感を達成するため、映像の滑らかさや解像度といった画質を立体表示でも通常表示（２Ｄ）と同等にするには、非常に多くの画素（通常表示の画素数×視点数）が必要となる。
【０００５】
しかしながら、表示パネルの画素数の増加は、表示装置内の信号処理部から表示パネルへ送る表示データ量の増加を招き、表示データ量の増加に伴い、表示データの転送周波数、及びクロック信号の周波数は高くなる。周波数が高くなると、データ信号やクロック信号の歪が増大し、表示画質の劣化や、ＧＮＤ（グラウンド）が揺さぶられることによるドライバＩＣの消費電力の増大という問題を招く。また、データバス内の表示データ信号が、同じタイミングで変化すると、電源ラインへの影響は最大となり、ドライバ回路のノイズとなって表示画質劣化や消費電力の増大を生じさせる。この現象は一般に同時スイッチングノイズといわれる。
【０００６】
近年の高解像化（画素数の増加）に伴う駆動周波数（表示データ転送周波数、クロック周波数）の増加に起因した上述の信号歪、電源変動、ノイズの表示画質への影響は、裸眼方式の立体表示装置の開発を減速させる一因となってきた。一例としては、立体視の光学特性（３Ｄクロストーク）を正しく評価できないという問題が生じる。一般に、裸眼表示装置の表示パネルは、隣接するデータ線が各々別の視点画像を構成する単位画素へデータを供給する。立体視の光学特性（３Ｄクロストーク）を評価するには、各視点画像の階調差を最大（例えば、右眼用画像を黒、左眼用画像を白）にする表示パターンを用いる。この表示パターンは、データバスの各ビットがそろって変化するため、同時スイッチングノイズを生じさせる。このノイズの影響により、表示パネルの輝度が低下すると、視点画像を分離する光学素子の光学特性測定結果に影響が及んでしまう。このような影響があると、本来、画素レイアウト及び光学素子の特性で決定される立体視の光学特性（３Ｄクロストーク）に、駆動回路の問題が含まれてしまうため、正しい評価ができなくなる。
【０００７】
また、駆動周波数の増加に起因した上述の信号歪、電源変動、ノイズの問題は、立体表示装置に限らず、４Ｋ、８Ｋの超高精細映像を表示する２Ｄの表示装置においても画素数の増加に伴い生じることになり、表示画質の劣化を招く懸念がある。
前述の表示データの転送周波数を抑制する手段として、表示パネルに送るデータ信号を複数のバスに分割する技術がある。また、同時スイッチングノイズを抑制するために、分割したバス毎に、データの位相をずらすことで、ノイズ成分のピークを抑える技術が知られている。
【０００８】
例えば、特許文献１には、表示データを二つに分割し、一方を他方の逆極性として伝送する方法が開示されている。また、特許文献２には、入力データ信号を、複数の出力信号に分割し、分割した出力信号間に位相差を設けることで、出力信号の同時変化数を減少させる発明が開示されている。更に、特許文献３には、データ群毎（例えばＲＧＢ）に複数段階の異なる位相で出力し、位相差を時間的にランダムに変化させる方法が開示されている。
【先行技術文献】
【特許文献】
【０００９】
【特許文献１】特開平６−２８９８２２号公報
【特許文献２】特開平１１−２４９６２２号公報
【特許文献３】特許第３９９３２９７号公報
【発明の概要】
【発明が解決しようとする課題】
【００１０】
しかしながら、特許文献１には、信号線の分割数が偶数に限定され、表示データの一方を逆極性としなければならず、かつ、パネル内の配線経路とドライバＩＣ配置関係が限定されるという問題がある。
【００１１】
また、特許文献２には、入力クロック周期１ＣＬＫＩをもとに、データ出力クロック周期１ＣＬＫＯの分割したデータバス間の位相差が決まるため、表示装置の駆動周波数が限定される問題がある。図４４は、出力信号の分割と位相差を示した波形図で、表示装置は、複数ビットからなる表示データ入力信号を、第１の表示データ出力信号と、第２の表示データ出力信号と、第３の表示データ出力信号とに分割する。分割した出力信号間に、クロック出力信号に対して、クロック入力信号の周期の０．５倍と、１倍と、１．５倍の位相差を設けている。
【００１２】
このため、クロック出力信号の周期が、クロック入力信号の周期より短い場合は、クロック入力信号の周期で限定する位相差をもった複数の表示データ出力信号は、一つのクロック出力信号だけでは、ラッチが困難である。例えば、一つの画素で色毎に時分割表示して高解像度化を狙った表示装置や、動画性能を上げるために倍速駆動を適用した表示装置などにおいては、クロック出力信号の周期は、クロック入力信号の周期に比べて短くなる。このような表示装置においては、ラッチできない表示データ信号については、データ出力信号が不定であるため、表示が大きく乱れる。
【００１３】
特許文献３においては、位相差が時間的にランダムに変化することで、データの切り替わりタイミングを分散でき、同時スイッチングを低減している。しかしながら、データの切り替わりタイミングが頻繁な表示パターンに対して、適用された位相差が０である場合が連続した場合、ノイズ成分のピークを抑制する効果が不十分であるという問題がある。
【００１４】
更に、特許文献１から３に開示されている技術は、いずれも入力される表示パターン（入力画像のデータ）に関わらず、表示データの位相をずらすことにより同時スイッチングノイズを抑制している。しかしながら、データ間の位相をずらすことは、データのセットアップ及びホールド期間が削られて短くなるため、転送周波数が高くなるとデータの読み込みエラーが発生する確率が高くなる。すなわち、データ転送の動作マージンが小さくなるという新たな問題が発生する。
【００１５】
本発明は、上記問題に鑑みてなされたものであり、本発明の目的とするところは、入力画像のデータに基づき、表示パネルの表示への悪影響を与えるノイズを低減し、観察者に高い臨場感を与える表示装置を提供することである。
【課題を解決するための手段】
【００１６】
本発明に係る表示装置は、第１のパターンを表示するサブ画素と、第２のパターンを表示するサブ画素から構成された単位画素が、列ないし行方向に交互に配列された表示パネルと、各単位画素に対して、第１のサブ画素に入力される第１の画像信号と第２のサブ画素に入力される第２の画像信号の階調差を検出し、あらかじめ設定された閾値以上であるかどうか判定を行う判定部と、前記閾値以上と判定された場合において、前記第１の画像信号と前記第２の画像信号の立ち上がりと立下りが同期しないように、位相を可変し、データ出力部へ出力するタイミング制御部と、前記表示パネルに対してデータ出力を行うデータ出力部と、を備える。
本発明の表示装置において、判定部は、階調差があらかじめ設定された閾値以上であると判定された後に、階調差を有する領域が、あらかじめ階調差に応じて設定された所定のサブ画素数以上かどうかを判定する。
【００１７】
本発明に係るプログラムは、第１のパターンを表示する第１のサブ画素と、第２のパターンを表示する第２のサブ画素から構成された単位画素が、行または列方向に交互に配列された表示パネルに入力する画像信号の処理を行うコンピュータに、前記第１のサブ画素に入力される第１の画像信号と、前記第２のサブ画素に入力される第２の画像信号とを取得し、各単位画素にて、前記第１の画像信号及び第２の画像信号の階調差を検出し、該階調差が閾値以上であるか否かを判定し、前記階調差が閾値以上でないと判定した場合、前記第１の画像信号及び第２の画像信号の結合用に生成した同一周期、同一位相及び同一パルス幅である２つ以上のクロック信号を同期させて出力し、前記階調差が閾値以上であると判定した場合、前記２つ以上のクロック信号が同期しないように、前記周期、位相またはパルス幅を制御して出力する処理を実行させることを特徴とする。
【発明の効果】
【００１８】
本発明の表示装置内の信号処理部から表示パネルへ送る表示データの伝送方法を用いることで、表示装置の駆動周波数が高くなっても、データ出力間の立下り、立ち上がりのタイミングをずらし、ＧＮＤが受ける歪みの影響を時間軸方向に分散する。これにより、駆動負荷並びに表示画質へ影響を与えるノイズを抑制する効果がある。
【図面の簡単な説明】
【００１９】
【図１】実施形態１に係る表示装置の全体構成を示すブロック図である。
【図２】実施形態１における判定部の動作を示すフローチャートである。
【図３】実施形態１における判定部の動作を示すタイミングチャートである。
【図４】実施形態１におけるタイミング制御部の動作を示すフローチャートである。
【図５】実施形態１におけるタイミング制御部の動作を示すタイミングチャートである。
【図６】実施形態１におけるデータ出力部の動作を示すタイミングチャートである。
【図７】実施形態１におけるＧＮＤに及ぼす歪みの影響を示す図である。
【図８】実施形態１における偶数ビットと奇数ビットとで制御した一例を示す図である。
【図９】実施形態１における４つのデータ結合用クロックの一例を示す図である。
【図１０】実施例１における表示装置の全体構成を示すブロック図である。
【図１１】実施例１における表示パネルの動作を示すタイミングチャートである。
【図１２】実施例２における表示装置の全体構成を示すブロック図である。
【図１３】実施例２における表示パネルのサブ画素と対応するデータの関係を示す図である。
【図１４】実施例２における判定部の動作を示すフローチャートである。
【図１５】実施例２における信号処理部の動作の例を示すタイミングチャートである。
【図１６】実施例２における表示パネルの画素レイアウトを示す平面図である。
【図１７】実施例３における表示装置の全体構成を示すブロック図である。
【図１８】実施例３における表示パネルの画素レイアウトを示す平面図である。
【図１９】ＧＮＤの歪みに対する影響の比較結果を示した図である。
【図２０】表示パネル２ｃの輝度プロファイルの一例を示した図である。
【図２１】実施形態２における６種類の左眼用と右眼用画像データの組み合わせ例を示す図である。
【図２２】実施形態２における判定部の動作を示すフローチャートである。
【図２３】実施形態２における閾値の一例を示す図である。
【図２４】実施形態２における閾値と画像データとの関係を示す図である。
【図２５】実施形態１における閾値の一例を示す図である。
【図２６】実施形態１における閾値と画像データとの関係を示す図である。
【図２７】実施形態３に係る表示装置の全体構成を示すブロック図である。
【図２８】実施形態３における判定部の動作を示すフローチャートである。
【図２９】実施形態３における信号処理部の動作の例を示すタイミングチャートである。
【図３０】実施形態３に係る表示装置の別の全体構成を示すブロック図である。
【図３１】実施形態４におけるデータ出力部の動作の一例を示す図である。
【図３２】実施形態５におけるデータ出力部の動作の一例を示す図である。
【図３３】実施形態５におけるＤＢの変動とＧＮＤの歪みを示した図である。
【図３４】実施形態６におけるデジタル信号波形の一例を示す図である。
【図３５】実施形態６における隣接ＤＢ間に位相差を設けた一例を示す図である。
【図３６】実施形態６における判定部の動作を示すフローチャートである。
【図３７】実施形態６における効果の説明に用いた図である。
【図３８】実施形態６におけるＧＮＤに及ぼす歪みの影響を示す図である。
【図３９】実施形態７における表示装置の全体構成を示すブロック図である。
【図４０】実施形態７における判定部の動作を示すフローチャートである。
【図４１】実施形態７における信号処理部の動作を示すタイミングチャートである。
【図４２】実施形態８における補色と階調反転の説明に用いた図である。
【図４３】実施形態８における信号処理部の動作を示すタイミングチャートである。
【図４４】従来の液晶表示装置における分割した出力信号間に位相差を設けることを示す波形図である。
【発明を実施するための最良の形態】
【００２０】
以下に、本発明の実施形態について図面を参照して詳細に説明する。なお、本明細書及び図面において、実質的に同一の機能構成を有する構成要素については、同一の符号を付与することにより重複説明を省略する。また、以下の説明において、表示パネルの「水平方向」に並ぶ画素の配列を「行」とし、「垂直方向」に並ぶ画素の配列を「列」として説明する。
【００２１】
（実施形態１）
図１に、本発明の一実施形態に係る表示装置の構成を示すブロック図を示す。実施形態１に係る表示装置は、信号処理部１と表示パネル２とを備える。
信号処理部１は、第１のパターン３の画像信号ＤＡ１と、第２のパターン４の画像信号ＤＡ２を入力し、判定結果Ｒｅｓｕｌｔを出力する判定部１２を備える。また、信号処理部１は、判定結果Ｒｅｓｕｌｔによって制御された２つのデータ結合用クロック信号ＣＬＫＯとＣＬＫＥを出力するタイミング制御部１３を備える。更に、信号制御部１は、ＣＬＫＥとＣＬＫＯを用いてＤＡ１と、ＤＡ２とを結合した結合画像信号ＤＢを、表示パネル２に出力するデータ出力部１４を備える。
【００２２】
第１のパターン３とは、１Ｒから８Ｒに至る８個の画素が、４行２列に配列された右目用の視差画像データであり、第２のパターン４とは、１Ｌから８Ｌに至る８個の画素が、４行２列に配列された左目用の視差画像データである。なお、画像信号ＤＡ１とＤＡ２は、１Ｒから８Ｒ及び１Ｌから８Ｌの画素夫々の階調を示す信号である。表示パネル２は、第１のサブ画素３０と、第２のサブ画素４０とが行方向に交互に配列され、４行４列のマトリクスを構成する。
【００２３】
前記第１のサブ画素３０と、第２のサブ画素４０とは、夫々輝度が可変する画素であり、第１のサブ画素３０の輝度は、対応する第１のパターン３によって決定され、第２のサブ画素４０の輝度は、対応する第２のパターン４によって決定される。
例えば、表示パネル２の１Ｒの位置にある第１のサブ画素３０の輝度は、第１のパターン３における１Ｒによって決定され、表示パネル２の１Ｌの位置にある第２のサブ画素４０の輝度は、第２のパターン４における１Ｌによって決定される。このように、第１のパターン３の１Ｒから８Ｒは、表示パネル２の第１のサブ画素３０の１Ｒから８Ｒに夫々対応し、第２のパターン４の１Ｌから８Ｌは、表示パネル２の第２のサブ画素４０の１Ｌから８Ｌに夫々対応する。
【００２４】
また、表示パネル２の表示面側にレンチキュラレンズ１００が配置される。レンチキュラレンズ１００には、シリンドリカルレンズ１０１が配列されている。シリンドリカルレンズ１０１は、１Ｒと１Ｌや、２Ｒと２Ｌ等の組み合わせをはじめとした、第１のサブ画素３０，第２のサブ画素４０の順に、行方向に隣接するサブ画素で構成される単位画素に対応して、行方向にレンズ効果をもっている。シリンドリカルレンズ１０１は、単位画素から出射される光のうち、第１のサブ画素３０で構成された右目用の画素群３１もしくは３２から出射される光を、観察者の右目に振り分ける。また、シリンドリカルレンズ１０１は、第２のサブ画素４０から構成された左目用の画素群４１もしくは４２から出射される光を、観察者の左目の位置に振り分ける。第１のパターン３及び第２のパターン４に、視差のある画像を用いることで、観察者に立体画像を提供する。
【００２５】
次に図２，図３，図４，図５を元に信号処理部１の動作を説明する。信号処理部１は、所定のプログラムに従って、以下の動作を行う。図２は、判定部１２の動作を示すフローチャートである。判定部１２は、判定部１２に入力された第１のパターン３の画像信号であるＤＡ１と、第２のパターン４の画像信号であるＤＡ２を取得する（Ｓ１）。その後、単位画素を構成する第１のサブ画素３０及び第２のサブ画素４０に対応するＤＡ１及びＤＡ２(１Ｌと１Ｒや、２Ｌと２Ｒ)の差分ΔＤＡを検知する（Ｓ２）。検知したΔＤＡがあらかじめ設定された閾値以上であるかどうかを判定し（Ｓ３）、閾値以上であれば（Ｓ３：ＹＥＳ）判定結果Ｒｅｓｕｌｔに１をセットしタイミング制御部１３へ出力する（Ｓ４）。判定部１２は、その後、処理をステップＳ１に戻す。そうでなければ（Ｓ３：ＮＯ）判定結果Ｒｅｓｕｌｔに０をセットしてタイミング制御部１３へ出力し（Ｓ５）、処理をステップＳ１に戻す。
【００２６】
図３は、判定部１２の動作を示すタイミングチャートである。図３のＤＡ１及びＤＡ２は、０〜３で表される４階調のデジタル信号であることを示している。ＤＡ１には、１Ｒから順に３，０，３，０，３，３，０，０が８Ｒに至ってセットされており、ＤＡ２には、１Ｌから順に０，３，０，３，３，３，０，０が８Ｌに至ってセットされている。
【００２７】
ΔＤＡは、ＤＡ１とＤＡ２との差分である。このため、１Ｒ−１Ｌ間から４Ｒ−４Ｌ間に至る期間においては３であり、５Ｒ−５Ｌ間から８Ｒ−８Ｌ間に至る期間においては０である。判定部１２より出力される判定結果Ｒｅｓｕｌｔは、閾値を３として判定したもので、ΔＤＡが３である期間は１であり、ΔＤＡが０である期間は０である。
【００２８】
図４は、タイミング制御部１３の動作を示すフローチャートである。タイミング制御部１３は、前記判定結果Ｒｅｓｕｌｔを取得し（Ｓ１１）、判定結果Ｒｅｓｕｌｔが１であるか否か、すなわち閾値以上であるか否かを判定する（Ｓ１２）。タイミング制御１３は、判定結果Ｒｅｓｕｌｔが１であれば（Ｓ１２：ＹＥＳ）位相可変処理（Ｓ１３）を行う。タイミング制御１３は、判定結果Ｒｅｓｕｌｔが０であれば（Ｓ１２：ＮＯ）位相可変処理を行わずにＣＬＫＯとＣＬＫＥをデータ出力部１４へ出力し（Ｓ１４）、処理をステップＳ１１に戻す。
【００２９】
図５は、タイミング制御部１３の動作を示すタイミングチャートで、判定結果Ｒｅｓｕｌｔが１の期間は、位相可変処理によりＣＬＫＥとＣＬＫＯは位相差ｔｐをもち、判定結果Ｒｅｓｕｌｔが０である期間では、位相可変処理がなくＣＬＫＥとＣＬＫＯに位相差はない。なお、ＣＬＫＥ及びＣＬＫＯの周期は、ＤＡ１及びＤＡ２の周期の２分の１となっている。
【００３０】
データ出力部１４は、ＤＡ１もしくはＤＡ２のいずれか一方を、ＤＡ１，ＤＡ２の順に交互に、ＣＬＫＥ及びＣＬＫＯを用いてビット毎に、ＤＢへラッチする。図６を用いて、データ出力部１４の動作を詳細に説明する。なお、図６は、データ出力部１４の動作を示すタイミングチャートで、０〜３で表される４階調のＤＡ１とＤＡ２とＤＢを、Ｈｉｇｈレベルを（１）２とし、Ｌｏｗレベルを（０）２とした、（００）２〜（１１）２の２ビットのデジタル信号で示している。
【００３１】
まず、１Ｒの期間におけるＤＡ１が、ＤＢにラッチされる。この時、ＤＡ１［０］がＣＬＫＥにより、ＤＢ［０］にラッチされＨｉｇｈレベルとなり、ＤＡ１［１］がＣＬＫＯにより、ＤＢ［１］にラッチされＨｉｇｈレベルとなる。
次に、ＣＬＫＥもしくはＣＬＫＯの１周期を隔てて、１Ｌの期間におけるＤＡ２がＤＢにラッチされる。前記ＤＡ１と同様に、ＤＡ２［０］がＣＬＫＥによりラッチされ、ＤＢ［０］がＬｏｗレベルとなり、ＤＡ２［１］がＣＬＫＯによりラッチされＬｏｗレベルになる。
【００３２】
以降同様に、ＣＬＫＥもしくはＣＬＫＯの１周期を隔てて、２Ｒ，２Ｌ，３Ｒ，３Ｌ，４Ｒ，４Ｌ，５Ｒ，５Ｌ，６Ｒ，６Ｌ，７Ｒ，７Ｌ，８Ｒ，８Ｌが順に、ＤＡ１［０］とＤＡ２［０］は、ＣＬＫＥを用いてＤＢ［０］へラッチし、ＤＡ１［１］及びＤＡ２［１］は、ＣＬＫＯを用いてＤＢ［１］へラッチする。ラッチの際、ＣＬＫＥとＣＬＫＯには位相差ｔｐがある場合は、ＤＢ［０］−ＤＢ［１］間にも位相差ｔｐが生じるが、ＣＬＫＥとＣＬＫＯに位相差が無い場合は、ＤＢ［０］−ＤＢ［１］間に位相差は生じない。
【００３３】
以上の信号処理部１の動作により、タイミング制御部１３が出力したＣＬＫＥを用いてＤＢ［０］を、ＣＬＫＯを用いてＤＢ［１］を、ビット毎にラッチする。これにより、ＤＡ１とＤＡ２の階調差ΔＤＡが閾値以上と判定された場合において、ＣＬＫＥとＣＬＫＯとは位相差ｔｐがあるため、表示パネル２へ出力するＤＢ［０］−ＤＢ［１］間は、位相差ｔｐを持つことになる。
【００３４】
なお、ＤＢのような複数ビットからなるデジタル信号は、単一のクロック信号で同時にラッチすることが一般的である。このため、位相差ｔｐは、ＤＢ［０］とＤＢ［１］をドットクロックＤＣＬＫのような単一のクロック信号で、同時にラッチできる範囲に留めることが好ましい。
【００３５】
ここで、隣接するＤＢ［０］−ＤＢ［１］間の位相差ｔｐの効果について、図７を用いて説明する。図７（１）から（４）は、データ出力部１４へ入力されたＣＬＫＥとＣＬＫＯと、データ出力部１４が出力するＤＢ［０］及びＤＢ［１］と、ＧＮＤを示している。夫々において、タイミング制御部１３が出力するＣＬＫＥ及びＣＬＫＯのタイミングが異なる。なお、図中のＤＢが、ＬｏｗレベルからＨｉｇｈレベルに切り替わるタイミングを立ち上がり期間とし、ＨｉｇｈレベルからＬｏｗレベルに切り替わる立下り期間として説明する。
【００３６】
図７（１）では、ＣＬＫＥ−ＣＬＫＯ間に位相差は無く、一定の周期ｔｗでラッチされたＤＢ［０］とＤＢ［１］の、立ち上がり及び立下りは同期している。ＧＮＤには、ＤＢ［０］とＤＢ［１］夫々の立ち上がり及び立下りのタイミングに、スパイク状のノイズが一定周期ｔｗをもって発生する。
【００３７】
図７（２）は、ＤＢ［０］−ＤＢ［１］間に位相差を施した例で、ＣＬＫＥとＣＬＫＯは、ともに一定の周期ｔｗであるが、ＣＬＫＥ−ＣＬＫＯ間に位相差ｔｐが存在する。このため、ＣＬＫＥでラッチされたＤＢ［０］と、ＣＬＫＯでラッチされたＤＢ［１］間にも位相差ｔｐが有り、ＧＮＤに発生するスパイク状のノイズは、位相差ｔｐをもって時間軸方向に分散され、振幅が抑制される。すなわち、データ出力間の立下り、立ち上がりのタイミングをずらし、ＧＮＤが受ける歪みの影響を、時間軸方向に分散することにより、駆動負荷並びに表示画質へ影響を与えるノイズを抑制する効果がある。
【００３８】
図７（３）は、ＤＢ［０］−ＤＢ［１］間の位相差に加えて、ＤＢ［０］とＤＢ［１］とでパルス幅を可変した例である。ＣＬＫＥ−ＣＬＫＯ間には、一定周期Ｔにおいて位相差ｔｐ１が存在するが、周期Ｔを構成する周期ｔｗ１とｔｗ２において、ＣＬＫＥでは、ｔｗ１，ｔｗ２の順に交互に繰り返し、ＣＬＫＯでは、ｔｗ２，ｔｗ１の順に交互に繰り返している。
【００３９】
このため、ＣＬＫＥでラッチされたＤＢ［０］と、ＣＬＫＯでラッチされたＤＢ［１］間にも、周期Ｔにおいて位相差ｔｐ１が存在する。更に、周期Ｔの期間中にＤＢ［０］及びＤＢ［１］が、ＨｉｇｈからＬｏｗや、ＬｏｗからＨｊｇｈに論理が切り替わる。これにより、ＤＢ［０］及びＤＢ［１］がＨｉｇｈとなる期間のパルス幅が、ｔｗ１もしくはｔｗ２のいずれか一方となり、ＤＢ［０］とＤＢ［１］夫々の立ち上がり及び立下りのタイミングに、位相差ｔｐ２が生じる。
【００４０】
このように、ＤＢ［０］−ＤＢ［１］間の位相差ｔｐ１に加え、ＤＢ［０］及びＤＢ［１］夫々において、Ｈｉｇｈとなる期間のパルス幅を可変し、位相差ｔｐ２を生じさせることで、ＧＮＤに生じるスパイク状のノイズが位相差ｔｐ１と位相差ｔｐ２の２つによって時間軸上で分散される。このため、図７（２）で示した例に比べて、ＧＮＤが受ける歪みを構成する周波数成分が、連続する時間軸上で切り替わるため、ＤＢ以外の外部からのノイズの影響を受ける確率が低減できる。
【００４１】
図７（４）は、ＤＢ［０］−ＤＢ［１］間の位相差に加えて、ＤＢ［０］とＤＢ［１］夫々において周期可変を実施した例である。ＣＬＫＥ−ＣＬＫＯ間には、一定周期Ｔにおいて位相差ｔｐ１が存在するが、周期Ｔを構成する周期Ｔ１とＴ２において、ＣＬＫＥでは、Ｔ１，Ｔ２の順に交互に繰り返し、ＣＬＫＯでは、Ｔ２，Ｔ１の順に交互に繰り返している。また、周期Ｔ１は周期ｔｗ１で構成され、周期Ｔ２は周期ｔｗ２で構成されている。
【００４２】
このため、ＣＬＫＥでラッチされたＤＢ［０］と、ＣＬＫＯでラッチされたＤＢ［１］間にも、周期Ｔにおいて位相差ｔｐ１が存在する。更に、周期Ｔ１とＴ２の期間中夫々において、ＤＢ［０］とＤＢ［１］が、ＨｉｇｈからＬｏｗや、ＬｏｗからＨｉｇｈに論理が切り替わることで、ＤＢ［０］とＤＢ［１］夫々の立ち上がり及び立下りのタイミングに、位相差ｔｐ２が生じる。また更に、周期Ｔの期間中にＤＢ［０］及びＤＢ［１］の周期がＴ１からＴ２もしくは、Ｔ２からＴ１と周期可変することで、ＤＢ［０］とＤＢ［１］夫々の立ち上がり及び立下りのタイミングに、位相差ｔｐ３が生じる。
【００４３】
このように、ＤＢ［０］−ＤＢ［１］間の位相差ｔｐ１に加え、ＤＢ［０］及びＤＢ［１］夫々において、周期を可変し、位相差ｔｐ２と位相差ｔｐ３とを生じさせることで、ＧＮＤに生じるスパイク状のノイズが、位相差ｔｐ１と、位相差ｔｐ２と、位相差ｔｐ３の３つによって分散される。このため、図７（３）で示した例に比べて、歪みを構成する周波数成分をより拡散することができるため、ＤＢ以外の外部からのノイズの影響を受ける確率を更に低減できる。
【００４４】
以上、実施形態１では４行４列のサブ画素で構成された表示装置を用いた場合を例として示したが、本発明の表示装置を構成するサブ画素数はこれに制限されない。
【００４５】
また、説明では０〜３で表される４階調のデジタル信号を用いたが、本発明の表示装置は、何ら階調数を制限するものでは無い。複数のビットで構成される階調のデジタル信号であれば、偶数ビットと奇数ビットとで位相差の有無を制御すればよい。
図８に偶数ビットと奇数ビットとで制御した一例を示す。図８には、タイミング制御部１３が出力した２つのデータ結合用クロックＣＬＫＯ，ＣＬＫＥと、データ出力部１４が出力するｎビット（ｎは２以上の自然数。例えば８または１０等。）からなる２n 階調のデジタル信号である結合画像信号ＤＢ［０］，ＤＢ［１］，ＤＢ［２］，ＤＢ［３］・・・ＤＢ［ｎ−１］と、ＧＮＤとを示している。
図８（１）は、図７（２）を用いて説明した位相差を実施した例であり、図８（２）は、図７（３）を用いて説明したパルス幅可変を実施した例であり、図８（３）は、図７（４）を用いて説明した周期可変を実施した例である。
図８に示すように、ＣＬＫＥでラッチされた偶数ビット（ＤＢ［０］，ＤＢ［２］，・・・ＤＢ［ｎ−２］）と、ＣＬＫＯでラッチされた奇数ビット（ＤＢ［１］，ＤＢ［３］，・・・ＤＢ［ｎ−１］）との間において、図８（１）では位相差ｔｐがあり、図８（２）では一定周期Ｔにおいて２つの位相差ｔｐ１及びｔｐ２があり、図８（３）では一定周期Ｔにおいて、３つの位相差ｔｐ１、ｔｐ２及びｔｐ３がある。このように、複数のビットで構成されるデジタル信号においても、図７の説明で述べた同様の効果を得ることができる。
【００４６】
また、例えば、ＲＧＢ毎に８ビットで構成された２４ビットからなるデジタル信号等、多くのビットで構成されたデジタル信号において、ＧＮＤに発生するスパイク状のノイズが多数重畳する場合、タイミング制御部１３がデータ出力部１４へ出力するデータ結合用クロック信号を３つとし、３ビット周期で互いに隣接するデジタル信号間に位相差を与えてもよい。また、更に多くのデータ結合用クロック信号を用いてもよい。
図９に、データ結合用クロック信号を増やした一例を示す。図９には、タイミング制御部１３が出力した４つのデータ結合用クロック信号（ＣＬＫＡ，ＣＬＫＢ，ＣＬＫＣ，ＣＬＫＤ）と、データ出力部１４が出力する２４ビットからなるデジタル信号である結合画像信号ＤＢ［０］，ＤＢ［１］，ＤＢ［２］，ＤＢ［３］・・・ＤＢ［２３］と、ＧＮＤとを示している。
タイミング制御部１３は、判定部１２の判定結果に従って、データ結合用クロックＣＬＫＡ，ＣＬＫＢ，ＣＬＫＣ，ＣＬＫＤの互いの位相差を制御し、出力する。
データ出力部１４は、互いの位相差を制御されたデータ結合用クロックＣＬＫＡ，ＣＬＫＢ，ＣＬＫＣ，ＣＬＫＤを用いて、ＤＢ［０］及びＤＢ［１］のように、互いに隣接するデジタル信号間を夫々異なる位相差で制御することで、ＧＮＤに発生するスパイク状のノイズを、図８（１）で示した２つのデータ結合用クロック信号ＣＬＫＯ及びＣＬＫＥを用いて制御した場合よりも、更に時間軸方向に分散し、振幅を抑制することができる。
なお、図９に示した例では、互いに隣接する結合画像信号ＤＢ間に位相差ｔｐを用いた制御を実施しているが、図７（３）を用いて説明したパルス幅可変及び図７（４）を用いて説明した周期可変の実施も可能であり、図７の説明で述べた同様の効果を得ることができる。
また、一例として４つのデータ結合用クロック信号を用いたが、特にこれに限定されず、更に多くのデータ結合用クロック信号を用いてもよい。
【００４７】
次に、本発明の実施例について図面を参照して詳細に説明する。
＜実施例１＞
図１０は、本発明に係る表示装置の表示パネル２ａに、アクティブマトリクス型の液晶表示パネルを適用した場合の模式図である。図１０に示す表示装置は、第１のパターン３と第２のパターン４を表示する表示パネル２ａと、表示パネル２ａに信号を供給する信号処理部１とを備える。
【００４８】
表示パネル２ａは、図示していないが、透明基板上に、単位画素を構成する第１のパターン３を表示する第１のサブ画素３０と、第２のパターン４を表示する第２のサブ画素４０が、行方向に交互に配列されている。前記第１のサブ画素３０及び第２のサブ画素４０は、夫々ＴＦＴ５と、画素電極６と、共通電極７とで構成されており、データ線１１とゲート線２１と共通電極電源８に夫々接続されている。データ線１１は、Ｄ１〜Ｄ４の出力を持つデータドライバ１０に接続され、ゲート線２１は、Ｇ１〜Ｇ４の出力を持つゲートドライバ２０に夫々接続されている。また、図示していないが、表示パネル２ａの表示面とは異なる他方の面には、表示パネル２ａの表示面方向に向かって、光を出射する面状光源を備えている。更に、実施形態１同様に、シリンドリカルレンズ１０１で構成されたレンチキュラレンズ１００を表示パネル２ａの表示面側に備える。
【００４９】
ゲートドライバ２０は、出力Ｇ１からＧ４に順番に、各々の出力が接続されたゲート線２１を選択するように走査信号を出力していく。また、データドライバ１０は、各ゲート線２１が選択されているときに、そのゲート線２１に接続されたサブ画素に対応した信号を、Ｄ１〜Ｄ４から、各々の出力が接続されたデータ線１１に供給する。これにより、選択されたゲート線２１に接続されたＴＦＴ５を介して画素電極６に信号電圧が供給される。画素電極６に供給された信号電圧と、共通電極７に印加された共通電極電源８のＶｃｏｍ電圧との差分が、液晶などの電気光学素子を駆動する。
【００５０】
次に、図１１を用いて、表示パネル２ａの動作について説明する。図１１は、表示パネル２ａ内部の動作を示したタイミングチャートである。図中には、データドライバ１０に入力されたＤＢ［０］とＤＢ［１］のラッチタイミングを示すドットクロックＤＣＬＫと、Ｄ１〜Ｄ４の出力と、ゲートドライバ２０のＧ１〜Ｇ４出力のタイミングを、２フレームに渡って示している。
【００５１】
データドライバ１０は、入力されたＤＢ［０］とＤＢ［１］をＤＣＬＫのタイミングでラッチした後、Ｄ１〜Ｄ４の順にＤＢに応じたサンプリングを行いデータ線１１に順次出力する。例えば、１フレーム目において、１Ｒの期間にサンプリングされた階調３の電位２０３はＤ１に出力され、１Ｌの期間にサンプリングされた階調０の電位２００はＤ２に出力される。２Ｒの期間にサンプリングされた階調０の電位２００はＤ３に出力され、２Ｌの期間にサンプリングされた階調３の電位２０３はＤ４に出力される。以降、３Ｒから８Ｌの期間に至って、同様に順序だててサンプリングされた電位が、Ｄ１〜Ｄ４に出力される。
【００５２】
ゲートドライバ２０は、Ｇ１〜Ｇ４の順に順次Ｈｉｇｈレベルをゲート線２１に順次出力する。Ｈｉｇｈレベルとなった期間、ゲート線２１に接続されたＴＦＴ５を介して、データ線１１のサンプリングされた電位が順次、画素電極６に印加されることで、所定の画像信号がサブ画素に書き込まれる。
【００５３】
なお、図１１では液晶などの電気光学素子を直流駆動すると寿命が短くなるため、Ｖｃｏｍを中心に、フレーム単位に極性を反転し、交流駆動を行っている。例えば、１Ｒにサンプリングした電位は、１フレーム目は電位２０３だが、２フレーム目は電位３０３である。また、フレーム単位での極性反転だけでは、フレーム周波数が低いと、ちらつきとして認識しやすい。このため、表示パネル２ａの行方向毎に相当するタイミングでも極性を反転し、ちらつきを視認しにくくしている。例えば、１フレーム目において、同じ階調値３ではあるが、１Ｒにサンプリングされた電位２０３と、３Ｒにサンプリングされた電位３０３はＶｃｏｍを中心に極性を反転している。同様に、階調０でも、１ＬでサンプリングしてＤ２に出力すると電位２００だが、３ＬにサンプリングしてＤ２に出力すると電位３００である。
【００５４】
この他の交流駆動には、列方向に極性が反転する方式や、サブ画素単位で極性が反転する方式があるが、いずれの反転方式においても、データ出力間の立下り、立ち上がりのタイミングをずらし、ＧＮＤが受ける歪みの影響を時間軸方向に分散する。これにより、駆動負荷並びに表示画質へ影響を与えるノイズを抑制する効果がある。
実施例１の構成及び動作は、上記異なる点以外は実施形態１と同じであるため、説明は省略する。
【００５５】
なお、本発明の実施例１に係る表示装置に用いた表示パネル２ａは、サブ画素が４行４列のマトリクス状に配列されているが、これは図示の簡略化のためであり、なんら画素数を制限するものでは無い。また、ＤＡ１，ＤＡ２、ＤＢを夫々２ビットで構成されたデジタル信号としたが説明の便宜上であり、デジタル信号のビット数を制限するものではない。
【００５６】
＜実施例２＞
図１２に実施例２の表示装置の模式図を示す。図１２の表示装置の表示パネル２ｂは、第１のサブ画素３０と、第２のサブ画素４０から構成された画素群が、３１，４１，３２，４２の順に行方向に交互に配列している。また、図１０で示した表示パネル２ａとは、各ＴＦＴ５とデータ線１１及びゲート線２１との接続が異なる。また、データドライバ１０の出力はＤ１〜Ｄ５であり、ゲートドライバ２０の出力はＧ１〜Ｇ５と増えており、それに伴いデータ線１１とゲート線２１の本数が増えている。
【００５７】
ここで、ゲート線２１と、第１のサブ画素３０及び第２のサブ画素４０の規則性について説明する。ゲートドライバ２０の出力において、Ｇ１，Ｇ３，Ｇ５によって選択されるゲート線２１には、３Ｌと５Ｌのように、列方向に隣接する第２のサブ画素４０のＴＦＴ５が接続されている。Ｇ２，Ｇ４によって選択されるゲート線２１には、１Ｒと３Ｒのように、列方向に隣接する第１のサブ画素３０のＴＦＴ５が接続する規則性がある。
【００５８】
図１３は、表示パネル２ｂのゲートドライバ２０の出力Ｇ１〜Ｇ５によって選択されるゲート線２１と、データドライバ１０の出力Ｄ１〜Ｄ５によって電位が供給されるデータ線１１が接続するサブ画素の関係をまとめたものである。図１３は、１Ｒ〜８Ｒの第１のサブ画素３０と、１Ｌ〜８Ｌの第２のサブ画素４０を示している。なお、ゲートドライバ２０のＧ１に接続するゲート線２１を選択する時、データドライバ１０のＤ１に接続されたデータ線１１には、電位を供給するサブ画素がない。このような存在しないサブ画素への対応として、図ではＮｕｌｌとして示している。
【００５９】
実施例２の信号処理部１においては、第１のパターン３の画像信号であるＤＡ１と、第２のパターン４の画像信号であるＤＡ２とを、図１３に示したＧ１からＧ５を行単位で交互に判定部１２ｂへ入力する。
【００６０】
判定部１２ｂは、互いに列方向に隣接する第１のサブ画素３０同士もしくは、同じく互いに列方向に隣接する第２のサブ画素４０同士夫々に対応する階調値から、階調差ΔＤＡが閾値以上か否かを判定する。図１４は、判定部１２ｂの動作を示すフローチャートである。判定部１２ｂは、ＤＡ１もしくはＤＡ２を取得する（Ｓ２１）。判定部１２ｂは、判定部１２ｂに入力されたＤＡ１もしくはＤＡ２と、後述するＤＡレジスタに記憶された階調値との階調差ΔＤＡを検知し（Ｓ２２）、階調差ΔＤＡが閾値以上か判定する（Ｓ２３）。判定部１２ｂは、階調差ΔＤＡが閾値以上であると判定した場合（Ｓ２３：ＹＥＳ）、判定結果Ｒｅｓｕｌｔに１をセットしタイミング制御部１３へ出力する（Ｓ２４）。判定部１２ｂは、階調差ΔＤＡが閾値以上でないと判定した場合（Ｓ２３：ＮＯ）、判定結果Ｒｅｓｕｌｔに０をセットし、タイミング制御部１３へ出力する（Ｓ２５）。すなわち、判定部１２ｂは、判定結果に応じたＲｅｓｕｌｔを出力する。判定部１２ｂは、Ｒｅｓｕｌｔを出力したのち、階調値を一時的に記憶するＤＡレジスタに、階調値を書き込み（Ｓ２６）、処理をステップＳ２１に戻す。ＤＡレジスタは、階調値を上書きされないかぎり、階調値を保持するため、次に取得される列方向に隣接するサブ画素に対応する階調値との、階調差ΔＤＡを検知するために用いる。
【００６１】
また、タイミング制御部１３ｂ及びデータ出力部１４ｂは、図１３で示した関係に対応するよう実施形態１とは異なる動作を行う。
【００６２】
図１５は、上記判定部１２ｂ及びタイミング制御部１３ｂを含む信号処理部１の動作を示すタイミングチャートである。０〜３で表される４階調が、３と０を繰り返す横縞を表示パネル２ｂに表示するために、第１のパターン３は、１Ｒから順に、３，３，０，０，３，３，０，０が８Ｒに至ってセットされている。また、第２のパターン４は、１Ｌから順に、３，３，０，０，３，３，０，０が８Ｌに至ってセットされている。なお、Ｎｕｌｌに該当する階調値は、ダミーとして０をセットしている。図中のＤＡ１とＤＡ２は、０〜３の階調値を、Ｈｉｇｈレベルを（１）２とし、Ｌｏｗレベルを（０）２とした、（００）２〜（１１）２の２ビットのデジタル信号で示している。
【００６３】
判定部１２ｂに入力するＤＡ１及びＤＡ２は、図１３に示したＧ１からＧ５を行単位で交互に行う。まず、図１３に示したＧ１の行において、Ｄ１からＤ５に示した、Ｎｕｌｌ，１Ｌ，Ｎｕｌｌ，２Ｌ，Ｎｕｌｌを順に判定部１２ｂへ入力する。検知する階調差ΔＤＡは、１ＬとＮｕｌｌの階調差と、２ＬとＮｕｌｌの階調差であるため、３となっている。
次に、図１３に示したＧ２の行において、Ｄ１からＤ５に示した、３Ｒ，１Ｒ，４Ｒ，２Ｒ，Ｎｕｌｌを順に判定部１２ｂへ入力する。検知する階調差ΔＤＡは、１Ｒと３Ｒとの階調差と、２Ｒと４Ｒとの階調差であるため、３となっている。
【００６４】
以降同様に、図１３に示したＧ３〜Ｇ５行において、Ｄ１からＤ５に示した順に対応するよう、判定部１２ｂへ階調値を入力する。検知する階調差ΔＤＡは、３Ｌと５Ｌとの階調差と、４Ｌと６Ｌとの階調差と、５Ｒと７Ｒの階調差と、６Ｒと８Ｒとの階調差とは、３となっており、Ｎｕｌｌと７Ｌとの階調差と、８ＬとＮｕｌｌの階調差は、０となっている。図中の判定結果Ｒｅｓｕｌｔは、閾値を３としたもので、階調差ΔＤＡが３の時は１となり、０の時は０としている。
【００６５】
タイミング制御部１３ｂでは、実施形態１と同様に、判定結果Ｒｅｓｕｌｔが１の期間は、位相可変処理によりＣＬＫＥとＣＬＫＯは位相差ｔｐをもつ。判定結果Ｒｅｓｕｌｔが０である期間では、位相可変処理がなくＣＬＫＥとＣＬＫＯに位相差はないが、実施例２では、ＣＬＫＥ及びＣＬＫＯの周期は、ＤＡ１及びＤＡ２の周期と同じである。
データ出力部１４ｂでは、ＤＡ１及びＤＡ２をＤＢにラッチする。ＤＢへのラッチは、タイミング入力部へ入力と同様に、図１３に示したＧ１〜Ｇ５の行単位に対応するよう、ＤＡ１とＤＡ２とを交互に、ＣＬＫＥ及びＣＬＫＯを用いてラッチする。位相差ｔｐを制御されたＣＬＫＥとＣＬＫＯをＤＢのラッチに用いたことで、ＤＢにも位相差ｔｐを設けることができる。
【００６６】
以上のように、各ＴＦＴ５とデータ線１１及びゲート線２１との接続が、実施例１とは異なる表示パネル２ｂにおいても、検知する階調差ΔＤＡを、互いに列方向に隣接する第１のサブ画素３０同士もしくは、同じく互いに列方向に隣接する第２のサブ画素４０同士から求める。これにより、実施形態１と同様に、ＤＢの位相差ｔｐを制御でき、ＧＮＤに及ぼす歪みの影響が時間軸方向に分散される効果がある。
【００６７】
図１２の模式図に示すデータ線１１、ゲート線２１とＴＦＴ５の接続関係は、実際の画素レイアウトにおいて、開口率を高める効果がある。図１６に画素レイアウトの一例を示す。図１６に示すように、単位画素の開口形状を台形とすることで、立体視の光学特性（３Ｄクロストーク）を改善することができる。開口形状に台形を採用する場合、ＴＦＴ５とデータ線１１及びゲート線２１の接続を図１２の模式図に示す関係とすることで、図１６のようにＴＦＴ５を台形の短辺側に集約して配置することが可能になる。これにより、実施例１のＴＦＴ５と配線の接続関係に比べ、開口率を高くすることができる。
実施例２の構成及び動作は、上記異なる点以外は実施形態１と同じであるため、説明は省略する。
【００６８】
実施形態１と同様に、ＧＮＤに及ぼす歪みの影響が時間軸方向に分散される効果がある。更に、図１６に示す画素レイアウトが可能であるため、実施例１と比べ開口率を高め、表示画質を向上させる効果がある。
【００６９】
＜実施例３＞
図１７に、実施例３の表示装置の模式図を示す。図１７の表示装置の表示パネル２ｃは、図１２の表示パネル２ｂと同様に行方向に画素群が、３１，４１，３２，４２が順に配列されているが、データドライバ１０とゲートドライバ２０の位置を入れ替えている。また、各ＴＦＴ５とデータ線１１及びゲート線２１との接続は、実施例１及び実施例２と異なる。
【００７０】
図１７の模式図に示すデータ線１１、ゲート線２１とＴＦＴ５の接続関係は、実施例２（図１２）と同様に、実際の画素レイアウトにおいて、開口率を高める効果がある。図１８に画素レイアウトの一例を示す。
実施例３の構成及び動作は、上記異なる点以外は実施形態１と同じであるため、説明は省略する。
【００７１】
実施形態１と同様に、ＧＮＤに及ぼす歪みの影響が時間軸方向に分散される効果がある。更に、図１８に示す画素レイアウトが可能であるため、実施例１と比べ開口率を高め、表示画質を向上させる効果がある。
【００７２】
更に、実施例３では、図１７に示したよう水平にゲートドライバ２０が配置され、垂直にデータドライバ１０が配置される。一般のテレビ等において、画面比は水平方向の方が長く、垂直方向は短く、近年はワイド化により横長が進む傾向にある。したがって、実施例３のようにデータドライバを配置することで、実施例１及び２の配置と比較し、データドライバ数の削減が可能となる。データドライバは、ゲートドライバより高価であるため、実施例３の構成は、実施例１及び２と比較し低コスト化の効果がある。
【００７３】
＜比較例＞
図１９に、実施例１に係る表示装置ついて、ＧＮＤに対する歪みの影響を比較した結果を示す。図示した（１）、（２）は比較例を示しており、（３）は本発明の実施例１を示している。
【００７４】
ＤＢは、２４ビットからなるデジタル信号の結合画像信号で、３つのグループ（ＤＢ［０］〜［７］と、ＤＢ［８］〜［１５］と、ＤＢ［１６］〜ＤＢ［２３］の３つの８ビットデジタル信号）に分割されており、ＣＬＫはＤＢをラッチするデータ結合用クロック信号を示している。
【００７５】
ＤＢの３つのグループは、図１７に示した表示パネル２ｃにおいて、データドライバ１０のＤ１、Ｄ４から出力される電位がＤＢ［０］〜ＤＢ［７］に、Ｄ２とＤ５から出力される電位がＤＢ［８］〜ＤＢ［１５］と、Ｄ３から出力される電位がＤＢ［１６］〜ＤＢ［２３］に夫々対応している。
【００７６】
図２０は縦軸に輝度、横軸を視野角とした際の本発明にかかる表示パネル２ｃの輝度プロファイルの一例を示す図である。横軸の視野角は、表示パネル２ｃの表示中心を０として、図１７記載の視点展開方向で得られたもので、第１のパターン３と第２のパターン４の表示を切り替えて取得する。図２０には、第１のパターン３と第２のパターン４に白を表示した際の輝度プロファイル３０３０と、第１のパターン３に白を表示し、第２のパターン４に黒を表示した際の輝度プロファイル３０４０をプロットしている。また、図２０には、第１のパターン３に黒を表示し、第２のパターン４に白を表示した際の輝度プロファイル４０３０をプロットしている。更に、図２０は、輝度プロファイル３０３０における輝度値のピーク値を３０３１として示し、同様に輝度プロファイル３０４０における輝度値のピーク値を３０４１、また同様に輝度プロファイル４０３０における輝度値のピーク値を４０３１で示している。
【００７７】
図１９においては、評価項目として、上記したＧＮＤの歪みの影響として現れる表示パネル２ｃの負電源の基準電圧に対する変動率及び、輝度ピーク値３０３１と輝度ピーク値３０４１の差分の輝度ピーク値３０３１に対する割合を輝度プロファイルの変動率とした。
【００７８】
ＧＮＤの歪に起因する負電源の変動率は、ＤＢの３つのグループ間で位相差をつけない図１９（１）の場合、２％と大きい。これに対して、位相差をつけないが、駆動周波数を半減した図１９（２）は、ＧＮＤの歪みが時間軸方向に分散するため、０．０６％と図１９（１）に比べ負電源の変動率が抑制され、駆動周波数を半減した効果がわかる。ＤＢの３つのグループ間で位相差をつけた図１９（３）では、０．０４％と、ＧＮＤの歪みを時間軸方向に分散することに加えて、ＧＮＤの歪みの振幅を減少させるため、位相差をつけない場合に比べて負電源の変動率を抑制することができる。更に、駆動周波数を半減した場合と同等以上の効果である。
【００７９】
また、輝度プロファイルの変動率は、位相差をつけない図１９（１）の場合２０％ダウンしたものが、駆動周波数を半減した図１９（２）と図１９（３）とでは、８％ダウンまで緩和する。
【００８０】
上記した実施形態１の動作に関しては、次のように言い換えることができる。
ある右目用画像データと左目用画像データを用いた場合に、それぞれの画像信号であるＤＡ１、ＤＡ２の差分ΔＤＡが十分に大きい場合は、上記した通り判定結果Ｒｅｓｕｌｔが１となり、結合画像信号ＤＢの各ビット信号間の立ち上がりもしくは立下りが確実に同期されない形で出力される。
【００８１】
このような右目用画像データと左目用画像データに対して、それぞれの画像信号ＤＡ１、ＤＡ２内における最大階調値差をあらかじめ図２５で示す閾値プロット５１０以下に変調しておく。これにより、判定結果Ｒｅｓｕｌｔが０となり、結合画像信号ＤＢの各ビット信号間の立ち上がり及び立下りが確実に同期して出力させることができる。
【００８２】
このように同じ画像データを用いた場合でも、あらかじめ画像内の最大階調値差のみをコントロールすることで、結合画像信号ＤＢの各ビット信号間の立ち上がり及び立下りにおける同期もしくは非同期の制御が可能である。
【００８３】
以上のように本発明の実施形態１においては、表示装置の駆動周波数が高くなっても、データ出力間の立下り、立ち上がりのタイミングをずらし、ＧＮＤが受ける歪みの影響を時間軸方向に分散することで、駆動負荷並びに表示画質へ影響を与えるノイズを抑制する効果がある。
【００８４】
（実施形態２）
実施形態１では、判定部１２において各画素に対して第１のパターン３（以下、右目用画像データ）と第２のパターン４（以下、左目用画像データ）の最大階調値差が閾値以上かを判定している。実施形態２では、この判定に加えて、当該両データの階調値差が大きい領域の割合を算出して判定することを特徴とする。
【００８５】
まず図２１（ａ）〜（ｆ）に、６種類の左眼用と右眼用画像データの組み合わせ例を示す。ここで、各欄に記載している数字は、上段が画像データの階調値（０〜２５５で記載）であり、下段が画面全体に対するその階調値の占有率である。背景画像というのは、背景に用いている画像データであり、オブジェクト画像というのは、図２１（ｄ）〜（ｆ）で用いている星の画像である。図２１（ｄ）（ｅ）で星の大きさは画面全体の２５％、図２１（ｆ）で星の大きさは画面全体の１０％である。
【００８６】
図２２は、実施形態２の判定部１２の動作を示すフローチャートである。判定部１２は、判定部１２に入力された右目用画像データである第１のパターン３の画像信号であるＤＡ１と、左目用画像データである第２のパターン４の画像信号であるＤＡ２を取得する（Ｓ３１）。その後、判定部１２は、ＤＡ１とＤＡ２の差分ΔＤＡ及びその領域Ａ（ΔＤＡ）を検知し（Ｓ３２）、検知したΔＤＡとＡ（ΔＤＡ）の関数として、ΔＤＡ及びＡ（ΔＤＡ）から決定されるスコアが、あらかじめ設定された閾値以上であるかどうかを判定する（Ｓ３３）。閾値以上であれば（Ｓ３３：ＹＥＳ）判定結果Ｒｅｓｕｌｔに１をセットしタイミング制御部１３へ出力し（Ｓ３４）、処理をステップＳ３１に戻す。そうでなければ（Ｓ３３：ＮＯ）判定結果Ｒｅｓｕｌｔに０をセットしてタイミング制御部１３へ出力し（Ｓ３５）、処理をステップＳ３１に戻す。なお、当該領域Ａ（ΔＤＡ）は階調差ΔＤＡの領域を示したものである。
【００８７】
図２３は、縦軸を階調差ΔＤＡ、横軸を階調差ΔＤＡの領域Ａとしたときの閾値の一例である。ここで、閾値プロット５００は階調差と領域から決定される閾値関数である。図２１で示した画像データ例が閾値関数を用いることで、階調差があらかじめ設定された閾値以上であると判定された後に、あらかじめ階調差に応じて設定された所定のサブ画素数以上か判定する。これにより、例えば、閾値プロット５００に対して、図２１（ｂ）は階調差大でかつ階調差領域大、図２１（ｄ）は階調差大、図２１（ｃ）は階調差領域大のため、閾値以上と判定される。逆に、図２１（ｆ）は階調差大であるが、階調差領域が小さいため閾値未満と判定され、同様に、図２１（ｅ）の階調差領域は中程度であるが、階調差が小さいため閾値未満と判定される。図２３に示した閾値と図２１の画像データとの関係を図２４に示す。
【００８８】
実施形態２の特徴を分かりやすく説明するために、実施形態１における閾値の一例を図２３に示し、図２５に示した閾値と図２１の画像データとの関係を図２６に示す。図２５に示したように、閾値は階調差のみで決定され、階調差領域は考慮されない。これは高速な判定処理が可能になるメリットを有するが、図２６に示したように、閾値以上の判定となり、位相差可変処理の出現確率が高くなる。特に、駆動周波数がきわめて高くなると、セットアップ並びにホールド期間に余裕がなくなるため、データエラーが発生するリスクがわずかながらに出てくる。
【００８９】
これに対し、実施形態２では階調差と階調差領域の２つのパラメータによって判定を行っているため、駆動負荷の影響をきめ細かなに判定を行うことが可能となり、位相差可変処理の出現確率をある程度抑制することができる。これにより、上記した高駆動周波数におけるデータエラーの発生リスクを低減させることが可能となる。
【００９０】
なお、図２１と図２３は、説明を簡単とするために、単一の階調差のみを利用した例を示しているが、複数の階調差を有する画像データであっても同様の手法を用いることができる。例えば、各階調差における階調差領域を複数プロットしておき、どれか１点でも閾値を越えると閾値以上の判定とすることもできる。あるいは、階調差の大きさに従い、階調差領域をα×Ａ（ΔＤＡ）と重み係数αを付与する形として、画像を１本あるいは複数のラインスキャンした際の階調差領域スコアＳ＝Σ（α×Ａ（ΔＤＡ））を求めて、階調差領域スコアが所定の閾値を越えると閾値以上の判定とすることもできる。αの設定に際しては、階調差ΔＤＡに対して線形関数あるいは非線形関数のいずれも用いることができる。
【００９１】
上記した実施形態２の動作に関しては、次のように言い換えることができる。
ある右目用画像データと左目用画像データを用いた場合に、それぞれの画像信号であるＤＡ１、ＤＡ２の差分ΔＤＡ及びその領域Ａ（ΔＤＡ）が十分に大きい場合は、上記した通り判定結果Ｒｅｓｕｌｔが１となり、結合画像信号ＤＢの各ビット信号間の立ち上がりもしくは立下りが確実に同期されない形で出力される。
【００９２】
このような右目用画像データと左目用画像データに対して、それぞれの画像信号ＤＡ１、ＤＡ２内における最大階調値差をあらかじめ図２５で示す閾値プロット５１０以下に変調しておくことで、判定結果Ｒｅｓｕｌｔが０となり、結合画像信号ＤＢの各ビット信号間の立ち上がり及び立下りが確実に同期して出力させることができる。
【００９３】
このように同じ画像データを用いた場合でも、あらかじめ画像内の最大階調値差のみをコントロールすることで、結合画像信号ＤＢの各ビット信号間の立ち上がり及び立下りを同期もしくは非同期の制御が可能である。
【００９４】
（実施形態３）
実施形態１及び実施形態２の表示装置では、第１のパターン３（右目用画像データ）と第２のパターン４（左目用画像データ）に視差のある画像を用いることで、観察者に立体画像を提供するが、観察者が立体視を望まない場合もある。
【００９５】
実施形態３では、観察者が立体視するか否かを選択する機能を備えたことを特徴とする。図２７に、本発明の実施形態３に係る表示装置の構成を示すブロック図を示す。実施形態３に係る表示装置は、信号処理部１ａと表示パネル２を備える。実施形態３の信号処理部１ａは、実施形態１とは異なり、立体視選択手段１５および立体視切替部１６を備える。
【００９６】
立体視選択手段１５は、観察者が立体視するか否かの選択に応じた立体視選択信号Ｓｔｅｒｅｏを、立体視切替部１６に出力する機能を備える。観察者が立体視をする選択時は、立体視選択信号を「１」（Ｓｔｅｒｅｏ＝１）とし、立体視をしない選択時は、立体視選択信号を「０」（Ｓｔｅｒｅｏ＝０）として立体視切替部１６に出力する。
【００９７】
例えば、立体視選択手段１５は、観察者が操作するＯＮ/ＯＦＦスイッチを備え、立体視する場合はスイッチをＯＮ、立体視しない場合はスイッチをＯＦＦとし、スイッチＯＮの状態で立体視選択信号を「１」（Ｓｔｅｒｅｏ＝１）、スイッチＯＦＦの状態で立体視選択信号を「０」（Ｓｔｅｒｅｏ＝０）とする回路を構成することで実現できる。このＯＮ/ＯＦＦスイッチに照明付きの押しボタンを用い、照明の点灯時をＯＮとしてＳｔｅｒｅｏ=１を出力し、照明の消灯時をＯＦＦとしＳｔｅｒｅｏ＝０を出力し観察者がボタンを押す度に、交互にＯＮ/ＯＦＦが反転するように構成してもよい。
【００９８】
また例えば、立体視選択手段１５は、外部から信号を入力する接続端子と、接続端子から入力される信号を検出し、信号に応じて立体視選択信号Ｓｔｅｒｅｏに変換する回路を構成することによっても実現可能である。
【００９９】
立体視切替部１６は、入力される２つの画像信号ＤＡ１及びＤＡ２を、そのまま２つの画像信号（ＤＡ１”＝ＤＡ１及びＤＡ２”＝ＤＡ２）として出力する機能を有する。また、立体視切替部１６は、ＤＡ１もしくはＤＡ２のいずれか一方を分配し、出力する２つの画像信号を同じ画像信号（ＤＡ１”＝ＤＡ１及びＤＡ２”＝ＤＡ１、あるいは、ＤＡ１”＝ＤＡ２及びＤＡ２”＝ＤＡ２）として出力する機能を有する。更に、立体視切替部１６は、これらの出力を入力される立体視選択信号Ｓｔｅｒｅｏに応じて切り替える機能を有する。立体視切替部１６から出力されるＤＡ１”及びＤＡ２”は、判定部１２とデータ出力部１４に入力する。
【０１００】
図２８は、立体視切替部１６の動作を示すフローチャートである。立体視切替部１６は、画像信号ＤＡ１と画像信号ＤＡ２を取得する（Ｓ４１）。その後、立体視切替部１６は、立体視選択信号Ｓｔｅｒｅｏを取得する（Ｓ４２）。立体視切替部１６は、立体視選択信号Ｓｔｅｒｅｏが１であるか否かを判定する（Ｓ４３）。立体視切替部１６は、入力されたＤＡ１とＤＡ２とを、立体視選択信号Ｓｔｅｒｅｏに応じて制御し、出力する。立体視切替部１６は、観察者が立体視をする選択をした場合、即ちＳｔｅｒｅｏ＝１の場合に（Ｓ４３：ＹＥＳ）、ＤＡ１をＤＡ１”とし、ＤＡ２をＤＡ２”として出力する（Ｓ４４）。その後、立体視切替部１６は、処理をステップＳ４１に戻す。観察者が立体視をしない選択をした場合、即ちＳｔｅｒｅｏ＝０の場合（Ｓ４３：ＮＯ）は、ＤＡ１”とＤＡ２”が同じとなるように、ＤＡ１をＤＡ１”とＤＡ２”として出力する（Ｓ４５）。その後、立体視切替部１６は、処理をステップＳ４１に戻す。なお、ＤＡ１”とＤＡ２”は同じであれば良いので、ＤＡ２をＤＡ１”とＤＡ２”として出力しても良い。
【０１０１】
以降、実施形態１と同様に、判定部１２の判定結果に従ったタイミング制御部１３によって、データ出力部１４から出力されるＤＢ［０］−ＤＢ［１］間の位相差の有無を制御する。
【０１０２】
図２９は、上記立体視選択手段１５および立体視切替部１６を含む信号処理部１ａの動作を示すタイミングチャートである。
【０１０３】
図２９に示したとおり、実施形態３においては、立体視しない期間（Ｓｔｅｒｅｏ＝０）は、ＤＡ１”とＤＡ２”が同じため、階調差がなく、ＤＢの論理反転は行われず、同時スイッチングにともなうノイズ発生はない。立体視する期間（Ｓｔｅｒｅｏ＝１）かつ、ＤＡ１”とＤＡ２”の階調差が、閾値以上であると判定される期間（Ｒｅｓｕｌｔ=１）では、実施形態１と同様に、ＤＢ［０］−ＤＢ［１］間の立ち上がりと、立下りが同期しないため、ＧＮＤに及ぼす歪みの影響が時間軸方向に分散される効果がある。
また、立体視において観察者が眼精疲労を感じた場合や、立体視が困難な場合（左右の視力差が大きく異なる場合や、瞳孔間距離が成人に比べて小さな子供など）は、観察者は立体視選択手段１５を用いて、立体視を中断することができる。
【０１０４】
ところで、観察者に立体画像を提供するため、視差のある画像を表示装置へ送ることができる映像信号源（ＣＰＵ，ＧＰＵやブルーレイプレイヤー，ＴＶチューナーなど）は、一般的に視差量を調整する機能を有することが多い。視差量調整機能により、視差量をなくせば、観察者は立体視を行うことはできない。したがって、この視差量調整機能は、図２７に示す立体視切替部１６として用いることができる。以下に、映像信号源を立体視切替部として用いた構成について説明する。
【０１０５】
図３０に、本発明の第３の実施形態に係る表示装置の別の構成を示すブロック図を示す。図２７とは異なり、信号処理部１ｂに立体視切替部１６が無い代わりに、第１のパターン３と第２のパターン４を供給する映像信号供給源１０００が存在し、立体視選択手段１５は、映像信号供給源１０００に対して立体視選択信号Ｓｔｅｒｅｏを出力する。
映像信号源１０００は、観察者が立体視をする選択（Ｓｔｅｒｅｏ＝１）をすると、互いに視差のある第１のパターン３と第２のパターン４を出力する。また、映像信号源１０００は、観察者が立体視をしない選択（Ｓｔｅｒｅｏ＝０）をした場合では、視差のない第１のパターン３と、第２のパターン４を出力する。
【０１０６】
映像信号源１０００が出力する第１のパターン３と第２のパターン４は、例えば、３次元オブジェクトや光源データから、平面に奥行き感のあるパターンを描画する３Ｄレンダリングの場合、観察者が立体視をする選択（Ｓｔｅｒｅｏ＝１）をすると、視差量を用いて演算を行う。これにより、互いに視差のある第１のパターン３と、第２のパターン４を描画した後に出力する。また、観察者が立体視をしない選択（Ｓｔｅｒｅｏ＝０）をすると、視差量を０として演算を行うことで、視差のない第１のパターン３と、第２のパターン４を描画した後に出力する。
【０１０７】
また例えば、画像データのような２次元平面のパターンとデプスデータのような奥行き情報データから、ＣＰＵが演算し２つの視差のある画像を生成する場合、観察者が立体視をする選択（Ｓｔｅｒｅｏ＝１）をすると、奥行き情報を用いて演算を行う。これにより、互いに視差のある第１のパターン３と、第２のパターン４を描画した後に出力する。観察者が立体視をしない選択（Ｓｔｅｒｅｏ＝０）をすると、奥行き情報を用いず演算を行い、第１のパターン３と、第２のパターン４として描画した後に出力するか、あるいは、２次元平面パターンを、第１のパターン３と、第２のパターン４としてそのまま出力する。
【０１０８】
また例えば、第１のパターン３と第２のパターン４を、観察者が立体視をする選択（Ｓｔｅｒｅｏ＝１）をすると、第１のパターン３と第２のパターン４を、そのまま出力する。また、観察者が立体視をしない選択（Ｓｔｅｒｅｏ＝０）をすると、第１のパターン３を、第１のパターン３と、新たな第２のパターン４もしくは、第２のパターン４を、新たな第１のパターン３と、第２のパターン４として出力する。
【０１０９】
以降、実施形態１と同様に、映像信号供給源１０００から入力された第１のパターン３と、第２のパターン４から、画像信号ＤＡ１とＤＡ２を判定部１２に入力する。判定部１２の判定結果に従ったタイミング制御部１３によって、データ出力部１４から出力されるＤＢ［０］−ＤＢ［１］間の位相差の有無を制御する。
【０１１０】
また、映像信号供給源１０００においては、立体視をしない選択（Ｓｔｅｒｅｏ＝０）をした場合、第１のパターン３もしくは、第２のパターン４のどちらか一方を生成し、同じパターンとして分配出力すれば、ＣＰＵやＧＰＵなどのパターン生成にかかる負荷を軽減することができる。
【０１１１】
なお、立体視選択信号Ｓｔｅｒｅｏは、映像信号の伝送ラインを用いて、映像信号のブランキング期間に重畳して伝送される各種の信号に含ませて処理してもよい。例えば、ＨＤＭＩ（登録商標）規格Ｖｅｒ．１．４で定義された“３Ｄ情報を伝送するＩｎｆｏＦｒａｍｅ”（３Ｄ映像を伝送しているということ）や、Ｆｒａｍｅ  Ｐａｃｋｉｎｇ、Ｓｉｄｅ−ｂｙ−Ｓｉｄｅ（Ｈａｌｆ）などの映像の３Ｄ方式の種類を示す情報を利用する。
【０１１２】
以上、本発明の実施形態３について説明したが、実施形態３の構成及び動作は、上記異なる点以外は実施形態１と同じであるため、説明は省略する。
なお、本発明の実施形態３に係る表示装置に用いた表示パネル２は、実施形態１と同様とし、４行４列にマトリクス状の配列されたサブ画素を用いて説明したが、表示パネル２には、図１０の表示パネル２ａや、図１２の表示パネル２ｂや、図１７の表示パネル２ｃが適用できる。
【０１１３】
また、実施形態３の判定部１２では、ＤＡ１”とＤＡ２”との階調差を用いたが、実施形態２で説明したように、ＤＡ１”とＤＡ２”の階調値差が大きい領域の割合を算出して判定も組み合わせ可能である。この場合、駆動負荷の影響をきめ細かなに判定を行うことが可能となり、位相差可変処理の出現確率をある程度抑制することができる。これにより、上記した高駆動周波数におけるデータエラーの発生リスクを低減させることが可能となる。
【０１１４】
また更に、実施形態３のタイミング制御部１３では、ＣＬＫＥ−ＣＬＫＯ間の位相を可変する処理をおこなったが、本発明は位相の可変に限定されるものではない。実施形態１の図７を用いて説明したようにパルス幅の可変（図７（３）参照）や周期の可変（図７（４）参照）を組み合わせてもよい。位相差に組み合わせることで、ノイズを構成する周波数成分をより拡散できるため、ＧＮＤに及ぼす歪みの影響を更に時間軸方向に分散することができる。
【０１１５】
（実施形態４）
実施形態１では、第１のパターン３と第２のパターン４を結合したＤＢを表示パネル２に出力したが、実施形態４では、ＤＢを２つ以上のクロック線で構成することを特徴とする。
図３１は、データ出力部１４でＤＢを２つのクロック線で構成した例を示すタイミングチャートで、図３１（１）は、実施形態１と同様に、ＤＢ［０］とＤＢ［１］とを、１つのクロック線で構成している。図３１（２）は、実施形態４であるＤＢ［０］とＤＢ［１］とを、互いに位相が異なるＤＣＬＫ１とＤＣＬＫ２の２つのドットクロック線で構成している。
【０１１６】
なお、実施形態４の構成及び動作は、上記異なる点以外は実施形態１と同じであるため、説明は省略する。
【０１１７】
ＤＢ［０］とＤＢ［１］のようにＤＢ間で互いに位相が異なるように処理を施された場合、セットアップ期間ｔｓまたはホールド期間ｔｈが、ＤＢ間で互いに異なる。例えば、図３１（１）ではＤＢ［０］では、ＤＣＬＫに対してｔｈが短く、ＤＢ［１］ではｔｓが短いため、駆動周波数がきわめて高くなると、表示パネル側で必要なセットアップｔｓ並びにホールド期間ｔｈを確保できなくなる恐れがある。また、表示装置の動作温度の変動やＤＢ信号経路の製造上のバラつき、外部からのノイズの影響等を吸収できるマージンをセットアップｔｓ並びにホールド期間ｔｈに持たせることが困難となる。これにより、データエラーが発生する可能性がある。
【０１１８】
そこで、実施形態４では図３１（２）に示したように、位相ないし周期可変を施したＤＢ［０］とＤＢ［１］に、互いに位相が異なる２つのドットクロック（図中のＤＣＬＫ１とＤＣＬＫ２）を用いて、表示パネルに出力する。これにより、駆動周波数が極めて高くなった場合においても、ノイズを構成する周波数成分をより時間軸方向に分散し、かつ夫々最適なセットアップ期間ｔｓとホールド期間ｔｈを確保し、上記したマージンを確保し、データエラー発生のリスクを低減することが可能となる。
【０１１９】
なお、実施形態４では２つのクロックを用いたが、例えば、各ＲＧＢ８ビットで構成された２４ビットバスを、ＲＧＢ毎に分割した８ビットバス夫々に、互いに位相が異なるクロックを用いるなど、２つ以上のクロックを用いてもよい。
【０１２０】
（実施形態５）
実施形態５では、データ出力部１４でＤＢの周波数を可変することを特徴とする。図３２は、データ出力部１４の例を示すタイミングチャートで、図３２（１）は、実施形態１における周波数を可変しない場合を示しており、図３２（２）は、実施形態５であるＤＢの周波数を可変する場合を示している。
【０１２１】
なお、実施形態５の構成及び動作は、上記異なる点以外は実施形態１と同じであるため、説明は省略する。
【０１２２】
図３２（１）では、ＤＡ１とＤＡ２の１フレーム期間ＴｆＡ１と、ＤＢの１フレーム期間ＴｆＢ１との関係は、ＴｆＡ１＝ＴｆＢ１である。図３２（２）では、ＤＡ１とＤＡ２の１フレーム期間ＴｆＡ２と、ＤＢの１フレーム期間ＴｆＢ２との関係は、ＴｆＡ２＜ＴｆＢ２となっている。これは、図１９（２）で示した駆動周波数の低減により、ＧＮＤに及ぼす歪みの影響を更に時間軸方向に分散するためである。
【０１２３】
以下に、図３３を用いて実施形態５の効果を具体的に考察する。図３３は、図１７に示した表示パネル２ｃにおいて、第１の表示パターン３を黒とし、第２のパターン４を白とした際に、データドライバ１０に入力するＤＢのある期間における変動とＧＮＤの歪みを示したものである。
【０１２４】
ＤＢは、データドライバ１０のＤ１、Ｄ４から出力される電位の階調値ＤＢ［０］〜ＤＢ［７］と、Ｄ２とＤ５から出力される電位の階調値ＤＢ［８］〜ＤＢ［１５］と、Ｄ３から出力される電位の階調値ＤＢ［１６］〜ＤＢ［２３］に対応する夫々８ビット階調値を持った３つのＤＢで構成されている。
【０１２５】
この表示装置に、８ビット階調値（ＦＦ）１６を白とし、（００）１６は黒とすると、ＤＢ［０］〜［７］とＤＢ［１６］〜［２３］は、ＣＬＫ周期毎にＨｉｇｈからＬｏｗに交互に繰り返し、ＤＢ［８］〜［１５］はＬｏｗからＨｉｇｈに繰り返す。このため、３つのＤＢ毎に位相差に加えて周期が異なる様に可変している。図３３（１）は、ＴｆＡ１とＴｆＢ１ともに１６．６７ｍｓとしたＴｆＡ１＝ＴｆＢ１の条件で得られた結果である。
【０１２６】
図３３（２）は、ＴｆＢ２をＴｆＡ２の２倍としたＴｆＡ２＜ＴｆＢ２の条件を適用したことにより、図３３（１）に比べ、ある期間におけるＧＮＤの歪みの発生回数が減少し、同時にＧＮＤの歪みの発生間隔が長くなっていることがわかる。ＧＮＤの歪みの影響が緩和する一例として、負電源の変動率は、ＴｆＡ１＝ＴｆＢ１の条件で０．０４％であったが、ＴｆＡ２＜ＴｆＢ２の条件では０．０１％と更に抑制できる。
【０１２７】
以上のように、本発明に係る表示装置の駆動周波数が高くなり、入力画像データの１フレーム期間ＴｆＡ２が極めて短くなった場合でも、実施形態５を適用することにより、データ出力間の立下り、立ち上がりのタイミングをずらすことができる。これにより、ＧＮＤが受ける歪みの影響を更に時間軸方向に分散することで、駆動負荷並びに表示画質へ影響を与えるノイズを抑制することが可能となる。また、ＤＢの周波数を可変することで、実施形態４で説明したセットアップ期間ｔｓ並びにホールド期間ｔｈのマージンを確保しやすくなる。
【０１２８】
（実施形態６）
実施形態１では、ＤＡ１とＤＡ２の階調差ΔＤＡが、閾値以上かを判定部１２で判定し、判定部１２の判定結果に従ったタイミング制御部１３によって、データ出力部１４から出力されるＤＢ［０］−ＤＢ［１］間の位相差の有無を制御した。実施形態６では、階調差ΔＤＡを用いた判定に加えて、ＤＡ１とＤＡ２から、ＤＢがＨｉｇｈからＬｏｗに変化する立下りか、ＬｏｗからＨｉｇｈに変化する立ち上がりかを検知する。検知した変化が、あらかじめ定めた変化に該当するか否かを判定部１２で判定する。判定部１２の判定結果に従ったタイミング制御部１３によって、データ出力部１４から出力されるＤＢ［０］−ＤＢ［１］間の位相差の有無を制御する。実施形態６では、前記判定及び制御により、ＤＢ［０］−ＤＢ［１］間の立ち上がりあるいは、立下りのどちらか一方のみ同期させないことを特徴とする。
【０１２９】
通常、デジタル信号を取り扱うＩＣなどの能動素子は、スイッチング動作を行う。実施形態１から４までは、スイッチング動作のＯＮとＯＦＦの２つの状態しかない理想的なデジタル信号波形を図に示しながら説明している。しかしながら、実際はＯＦＦからＯＮに遷移する状態と、ＯＮからＯＦＦに遷移する状態の２つのＯＮとＯＦＦの中間の状態が存在する。
【０１３０】
図３４は、上記２つの中間の状態を含んだデジタル信号波形の一例を示した図である。図３４に示したデジタル信号は、何れにおいてＬｏｗからＨｉｇｈを経てＬｏｗに切り替わる波形を示している。また、該デジタル信号は、ＬｏｗからＨｉｇｈに切り替わる際、信号の振幅の１０％から９０％に至る期間を立ち上がり期間ｔｒとし、ＨｉｇｈからＬｏｗに切り替わる際、信号の振幅の９０％から１０％に至る期間を立下り期間ｔｆと示している。このｔｒとｔｆの関係において、デジタル信号波形の特性は図３４（１）〜（３）に夫々示した３つがある。
図３４（１）は、ｔｒ＝ｔｆとした条件であるため、デジタル信号の波形が左右方向に対称な台形である。一方、図３４（２）は、ｔｒ＜ｔｆとした条件で、図３４（３）は、ｔｒ＞ｔｆとした条件であるため、デジタル信号の波形が非対称な台形である。この様に、台形が左右対称な場合に比べ、台形が非対称な状態においては、立ち上がり／立下り期間に同量の位相差を施すと、セットアップｔｓ並びにホールド期間ｔｈのマージンがとりにくくなる。
【０１３１】
図３５は、上記した条件の内、ｔｒ＝ｒｆにおける場合と、ｔｒ＞ｔｆにおける場合において、立ち上がり期間ｔｒに対して、位相差がセットアップｔｓ並びにホールド期間ｔｈに及ぼす影響を説明する図である。
【０１３２】
図３５（１）は、ｔｒ＝ｔｆとした条件のデジタル信号ＤＢ［０］とＤＢ［１］に対して、ＤＢ［０］−ＤＢ［１］間に、位相差ｔｐを設けるよう、タイミング制御部１３により制御されている。
【０１３３】
図３５（２）は、ｔｒ２＞ｔｆとした条件のデジタル信号ＤＢ［０］とＤＢ［１］に対して、図３５（１）と同じタイミング制御部１３により、ＤＢ［０］−ＤＢ［１］間に、位相差ｔｐを設けている。
【０１３４】
図３５（１）と図３５（２）夫々において、ＤＢ［０］のセットアップ期間とホールド期間が同じ長さになるように、ＤＣＬＫのタイミングを配置している。図３５（１）のセットアップｔｓ１並びにホールド期間ｔｈ１に比べて、図３５（２）のセットアップｔｓ２並びにホールド期間ｔｈ２は、ｔｓ２とｔｈ２の方が短い期間である。
【０１３５】
図３５（３）は、図３５（２）と同様に、ｔｒ２＞ｔｆとした条件のデジタル信号ＤＢ［０］とＤＢ［１］である。ＧＮＤの歪みに影響する同時スイッチングノイズを低減するためには、ＤＢ［０］−ＤＢ［１］間が同時に切り替わらないことが望ましい。したがって、図３５（３）においては、図３５（２）の位相差ｔｐよりも大きな、立ち上がり期間ｔｒ２と同等の位相差を設けている。図３５（３）におけるセットアップ並びにホールド期間ｔｓ３とｔｈ３は、図３５（２）のｔｓ２とｔｈ２よりも、更に短い期間である。
【０１３６】
そこで、信号処理部１−表示パネル２間のＤＢにおいては、タイミング制御部１３で、立ち上がり期間ｔｒあるいは立下り期間ｔｆのいずれか短い一方にのみに、位相差を設けるよう制御し、セットアップ並びにホールド期間のマージンの確保をしやすくする。
【０１３７】
図３６は、実施形態６の判定部１２の動作を示すフローチャートである。判定部１２は、ＤＡ１とＤＡ２を取得する（Ｓ５１）。判定部１２は、判定部１２に入力されたＤＡ１とＤＡ２から、変化を検知する（Ｓ５２）。判定部１２は、検知した変化が、あらかじめ定めた変化であるか否かを判定する（Ｓ５３）。あらかじめ定めた変化に該当する場合は、（Ｓ５３：ＹＥＳ）、ＤＡ１とＤＡ２との階調差ΔＤＡを検知する（Ｓ５４）。その後、判定部１２は、階調差ΔＤＡが閾値以上であるか否かを判定する（Ｓ５５）。階調差ΔＤＡが閾値以上であると判定した場合（Ｓ５５：ＹＥＳ）、判定結果Ｒｅｓｕｌｔに１をセットしタイミング制御部１３へ出力し（Ｓ５６）、処理をステップＳ５１に戻す。判定部１２は、階調差ΔＤＡが閾値以上でないと判定した場合（Ｓ５５：ＮＯ）、判定結果Ｒｅｓｕｌｔに０をセットし、タイミング制御部１３へ出力する（Ｓ５７）。その後、判定部１２は、処理をステップＳ５１に戻す。判定部１２は、検知した変化があらかじめ定めた変化に該当しない場合は（Ｓ５３：ＮＯ）、階調差ΔＤＡの検知は行わず、閾値未満の判定結果としてＲｅｓｕｌｔに０をセットし出力し（Ｓ５７）、処理をステップＳ５１に戻す。
【０１３８】
ＤＡ１とＤＡ２から検知する変化とは、立ち上がり期間ｔｒもしくは、立下り期間ｔｆであり、あらかじめ定めた変化とは、どちらか一方の短い期間である。あらかじめ定めた変化に該当するかを検知するには、ＤＡ１とＤＡ２との夫々対応するビット同士を比較する。
【０１３９】
例えば、実施形態１の図６に記載したＤＢ［０］は、１Ｒの期間から１Ｌの期間にかけて、ＨｉｇｈからＬｏｗに立下りの変化である。このＤＢ［０］の立下りの変化は、対応する１Ｒ期間のＤＡ１［０］にセットされたＨｉｇｈと、１Ｌ期間のＤＡ２［０］にセットされたＬｏｗから検知できる。
【０１４０】
同様に、２Ｒ期間のＤＡ１［０］にセットされたＬｏｗと、２Ｌ期間のＤＡ２［０］にセットされたＨｉｇｈから、ＤＢ［０］が２Ｒ期間から２Ｌ期間にかけて、ＬｏｗからＨｉｇｈに立ち上がる変化をすることが検知できる。
【０１４１】
以上のように、ＤＡ１とＤＡ２との夫々対応するビットから検知した変化が、あらかじめ定めた変化と一致しない場合は、階調差ΔＤＡが閾値以上かどうかの判定が行われない。このため、階調差ΔＤＡとは関係なく、閾値未満の結果Ｒｅｓｕｌｔ＝０が出力され、検知した変化が、あらかじめ定めた変化である場合のみ、階調差ΔＤＡが閾値以上かどうかを判定する。これにより、立ち上がり期間ｔｒもしくは立下り期間ｔｆの、あらかじめ定めた、どちらか一方の短い期間でのみ、タイミング制御部１３で位相差の有無が制御される。
【０１４２】
図３７を用いて、実施形態６の効果を説明する。図３７は、ＤＢ［０］−ＤＢ［１］間で異なる位相差をもっており、ＤＣＬＫに対する夫々のセットアップ期間を、ｔｓ１、ｔｓ２、ｔｓ３、ｔｓ４とし、ホールド期間をｔｈ１、ｔｈ２、ｔｈ３、ｔｈ４として示している。
【０１４３】
図３７（１）と図３７（２）に示したＤＢは、夫々立ち上がり期間と立下り期間を加えた中間状態を示す期間（ｔｒ１＋ｔｆ１＝ｔｒ２＋ｔｆ２）と、周期Ｔが同じである。図３７（１）は、ｔｒ１：ｔｆ１＝１：２の条件において、ｔｒ１と同じ長さの位相差ｔｐ１を設けており、ｔｓ１とｔｈ１とｔｓ２とｔｈ２を確保している。ここで、位相差を設けたｔｒ１のセットアップ期間ｔｓ１の減少は、位相差を設けていないｔｆ１のホールド期間ｔｈ１の減少と同等とすることができる。これにより、ｔｒ１、ｔｆ１の応答時間の比率によって、セットアップ期間またはホールド期間のマージンの確保ができないことによるデータエラー発生の頻度が偏るという状況を防ぐことができる。なお、ｔｒ１＜ｔｆ１／２とした場合にも同様の効果が得られる。
【０１４４】
図３７（２）は、ｔｒ２：ｔｆ２＝２：１の条件において、ｔｒ２と同じ長さの位相差ｔｐ２を設けており、ｔｓ３とｔｈ３とｔｓ４とｔｈ４を確保している。
【０１４５】
確保したセットアップ期間とホールド期間を比較すると、ｔｓ３とｔｈ３はｔｓ１とｔｈ１に比べて短い期間である。このように、位相差の設定次第で、セットアップ期間とホールド期間が異なる。また、ｔｓ４とｔｈ４はｔｓ３とｔｈ３に比べて長い期間確保できているが、ドットクロックＤＣＬＫが一定周期をもった単一クロックである場合、短い期間のｔｓ３とｔｈ３に合わせて位相調整を行う必要がある。したがって、セットアップ並びにホールド期間のマージンの確保は難しい。
【０１４６】
以上のことから、位相差を設ける場合は、立ち上がり期間もしくは立下り期間のどちらか短い方の時間を長い方の時間の２分の１以下に限定すると、ＧＮＤの歪みの影響を低減しつつ、セットアップ並びにホールド期間のマージンを確保しやすくできる。また、位相を可変することで、時間軸方向に信号が揺れる。信号の揺れは、表示上にノイズとなって見える場合がある。実施形態６では、位相の可変を立ち上がりもしくは立下りのどちらか一方とするため、表示上のノイズを低減するために行う、信号をサンプリングするクロックの位相調整がしやすくなる。
【０１４７】
また、実施形態１の図７を用いて説明したパルス幅および周期の可変も、実施形態６へ適用可能である。図３８は、ＧＮＤに及ぼす歪みの影響を示す図である。図３８（１）では、位相差を設けていないため、立ち上がり期間にＧＮＤに発生するスパイク状のノイズの振幅が大きい。ここで、図３８（２）に示したように、パルス幅の可変を適用することで、ＧＮＤに発生するスパイク状のノイズは、位相差ｔｐをもって時間軸方向に分散され、振幅が抑制される。同様に図３８（３）に示したように、周期の可変も適用可能であり、この場合、図３８（２）で示した例に比べて、ＧＮＤが受ける歪みを構成する周波数成分が、連続する時間軸上で切り替わる。このため、ＤＢ以外の外部からのノイズの影響を受ける確率が低減できる。
【０１４８】
なお、図３８に示したＧＮＤに発生するスパイク状のノイズの振幅は、立ち上がり期間のタイミングと立下り期間のタイミングとで異なる。これは、立ち上がり期間と立下り期間の長さが異なるためで、立下り期間は、立ち上がり期間に比べて長く、スパイク状のノイズも時間軸方向に伸長するためである。
以上、本発明の実施形態６について説明したが、実施形態６の構成及び動作は、上記異なる点以外は実施形態１と同じであるため、説明は省略する。
【０１４９】
（実施形態７）
実施形態７では、表示パネル２に複数の異なる色のサブ画素で構成された単位画素が、行列方向に配列された高精細カラー表示装置を用いる。実施形態７は、行ないし列方向に互いに隣接したサブ画素の階調値が反転するか否かをもって、位相差ないしパルス幅や周期の可変有無を判定する閾値とすることを特徴とする。
【０１５０】
一般的なカラー表示パネルの単位画素は、光の三原色であるＲＧＢのサブ画素で構成されており、赤い表示にする場合は、Ｒのサブ画素だけを点灯し、ＧとＢのサブ画素は点灯しないで表現する。白い表示にする場合は、ＲＧＢのサブ画素を点灯し、ＲＧＢを混色させて白を表現する。このように、複数の異なる色のサブ画素の組み合わせによって、異なる複数の色を表現する。また、サブ画素の輝度を制御することで、更に表現できる色数を増やすことができる。例えばＲＧＢの３つのサブ画素で構成された場合、２３の８色が表現できる。更に、ＲＧＢのサブ画素毎に、明るさを２５６段階で階調制御すれば、（２３）８の１６７７万色を表現することができる。
【０１５１】
実施形態１では、位相差を設ける判定に、互いに隣接するサブ画素間の階調差を閾値として用いたが、実施形態７では、互いに隣接するサブ画素間が、階調反転するか否かを閾値として用いる。
【０１５２】
図３９に、実施形態７の表示装置の模式図を示す。これまでの実施形態とは、表示パネル２ｄと、入力画像データ６０，７０、８０の構成が異なるため、信号処理部１の動作が、これまでの実施形態とは異なる。
【０１５３】
表示パネル２ｄは、色毎のサブ画素Ｒと、サブ画素Ｇと、サブ画素Ｂとで構成された単位画素９０が、４行４列に配列されており、レンチキュラレンズ１００を介在しないで表示を行う。
【０１５４】
入力画像データは、表示パネル２ｄのサブ画素１Ｒ〜１６Ｒに対応する階調値で構成されたＲのパターン６０、表示パネル２ｄのサブ画素１Ｇ〜１６Ｇに対応する階調値で構成されたＧのパターン７０、同じく表示パネル２ｄのサブ画素１Ｂ〜１６Ｂに対応する階調値で構成されたＢのパターン８０の３つで構成される。
【０１５５】
判定部１２ｄへは、Ｒのパターン６０からサブ画素１Ｒ〜１６Ｒに対応する階調値を順序だてて読み出した画像信号ＲＡと、Ｇのパターン７０からサブ画素１Ｇ〜１６Ｇに対応する階調値を順序だてて読み出した画像信号ＧＡとを入力する。更に、判定部１２ｄへは、Ｂのパターン８０からサブ画素１Ｂ〜１６Ｂに対応する階調値を順序だてて読み出した画像信号ＢＡを、入力する。
【０１５６】
図４０は、判定部１２ｄの動作を示すフローチャートである。判定部１２ｄは、Ｒのパターン６０の画像信号であるＲＡと、Ｇのパターン７０の画像信号であるＧＡと、Ｂのパターン８０の画像信号であるＢＡを取得する（Ｓ６１）。判定部１２ｄは、取得したＲＡ，ＧＡ，ＢＡと、後述するＲＧＢレジスタを用いて、サブ画素Ｒ−Ｇ間や、Ｇ−Ｂ間や、Ｂ−Ｒ間の順に対応する階調値が、反転階調の関係であるか否かを判定する（Ｓ６２）。
【０１５７】
反転階調の関係であるか否かの判定は、取得した３つの画像信号ＲＡ，ＧＡ，ＢＡや、ＲＧＢレジスタの階調値を用いて、互いに隣接するサブ画素の一方の階調値から求めた反転階調値と、他方の階調値が等しいか否かで行う。ここで、反転階調値は、階調値が採りうる最大値から、実際の階調値を差し引いた値である。
【０１５８】
２ビット階調の例で示すと、階調値がとりうる最大値は（１１）２の３となるが、この場合、互いに隣接するサブ画素の一方の階調値０の反転階調値は、３（＝３−０）となる。ここで、互いに隣接するサブ画素の他方の階調値が３であれば、反転階調値と等しいため反転階調の関係であると判定される。
【０１５９】
なお、一般的にデジタル化された階調値においては、０からはじまり、階調値が採りうる最大値は、２ビット階調の場合は３であり、３ビット階調の場合は７であり，８ビット階調では２５５であるように奇数となるため、上記した判定が適用可能である。
【０１６０】
もし、階調値の採りうる最大値がこのような場合に該当せずに偶数の場合は、上記の関係が成立しないことに留意されたい。例えば、階調値が採りうる最大値が４の場合、階調値２の反転階調値は２（＝４−２）となり、求めた反転階調値が反転しない場合が存在する。
【０１６１】
また、ＲＧＢレジスタは、階調値を一時的に記憶するレジスタで、上書きされない限り、階調値を保持し、ＲＡと、ＧＡと、ＢＡから階調値を個別に、読み出しと書き込みができる。
【０１６２】
判定の結果、反転階調の関係であれば（Ｓ６２：ＹＥＳ）判定結果Ｒｅｓｕｌｔに１をセットしタイミング制御部１３ｄへ出力する（Ｓ６３）。そうでなければ（Ｓ６２：ＮＯ）、判定結果Ｒｅｓｕｌｔに０をセットしてタイミング制御部１３ｄへ出力する（Ｓ６４）。出力を終えた後、ＲＡ，ＧＡ，ＢＡをＲＧＢレジスタに記憶し（Ｓ６５）、処理をステップＳ６１に戻す。記憶したＲＧＢレジスタは、次に取得するＲＡ，ＧＡ，ＢＡと反転階調の関係であるかの判定に使われる。なお、判定の周期は、ＤＢの周期に準ずる。
【０１６３】
図４１は、上記判定部１２ｄを含む信号処理部１の動作例を示すタイミングチャートである。判定部１２ｄに入力した画像信号ＲＡ［０］〜［１］，ＧＡ［０］〜［１］，ＢＡ［０］〜［１］と、データ出力部１４ｄから表示パネル２ｄに出力されるＤＢ［０］〜［１］は、夫々０〜３で表される４階調を、Ｈｉｇｈレベルを（１）２とし、Ｌｏｗレベルを（０）２とした、（００）２〜（１１）２の２ビットのデジタル信号で示している。また階調値は、（００）２の場合を黒とし、（１１）２を白としている。Ｒｅｓｕｌｔは、判定部１２ｄの判定結果であり、１もしくは０の値をとっている。
【０１６４】
図中の１Ｒ〜４Ｒ，１３Ｒ〜１６Ｒ，１Ｇ〜４Ｇ，１３Ｇ〜１６Ｇ，１Ｂ〜４Ｂ，１３Ｂ〜１６Ｂ（５Ｒ〜１２Ｒ，５Ｇ〜１２Ｇ，５Ｂ〜１２Ｂ，は図の簡略化のため省略）は、表示パネル２ｄのサブ画素との対応を示している。
【０１６５】
はじめに、１Ｒと１Ｇの間で階調反転の判定が行われる。図４１に示すように、１Ｒの階調値は（１１）２であり、１Ｇの階調値も（１１）２であり、階調反転ではない関係のため、判定部１２ｄは判定結果Ｒｅｓｕｌｔに０をセットする。同様に１Ｇと１Ｂの間も階調反転ではない関係のため、判定部１２ｄは判定結果Ｒｅｓｕｌｔに０をセットしている。
【０１６６】
次に、１Ｂの階調値（１１）２に対して、２Ｒの階調値は（００）２と、反転階調の関係であるため、判定部１２ｄは判定結果Ｒｅｓｕｌｔに１をセットしている。
次に、２Ｒの階調値（００）２に対して、２Ｇ，２Ｂの階調値も（００）２と、反転階調ではない関係が続くため、判定部１２ｄは判定結果Ｒｅｓｕｌｔに０をセットしている。
次に、２Ｂの階調値（００）２に対して、３Ｒの階調値は（１１）２と、３Ｒの階調値（１１）２に対して、３Ｇの階調値は（００）２と、反転階調の関係が続くため、判定部１２ｄは判定結果Ｒｅｓｕｌｔに１をセットしている。
【０１６７】
以降同様に、サブ画素Ｒ−Ｇ間や、Ｇ−Ｂ間や、Ｂ−Ｒ間の順に対応する階調値が反転階調であるか否かを順次判定し、判定結果Ｒｅｓｕｌｔをタイミング制御部１３ｄへ出力する。
タイミング制御部１３ｄでは、Ｒｅｓｕｌｔが１の期間、ＣＬＫＥ−ＣＬＫＯ間に位相差をつけてデータ出力部１４ｄへ出力する。なお、ＣＬＫＥ及びＣＬＫＯの周期は、ＲＡ，ＧＡ，ＢＡの周期の３分の１となっている。
【０１６８】
データ出力部１４ｄでは、実施形態１同様に、タイミング制御部１３ｄから出力されたＣＬＫＥ及びＣＬＫＯを用いて、ＲＡとＧＡとＢＡを時間軸方向に順序立てて、ＤＢ［０］−ＤＢ［１］にラッチし、ラッチしたＤＢは表示パネル２ｄに出力する。
【０１６９】
以上においては、判定部１２ｄによって位相差を制御されたＣＬＫＥ及びＣＬＫＯを用いて、ＤＢをラッチする。これにより、互いに隣接するサブ画素間が階調反転の関係である場合において、対応するＤＢ［０］〜［１］が、同時に論理反転しないよう位相を可変することができ、ＧＮＤに及ぼす歪みの影響を時間軸方向に分散される。
【０１７０】
なお、実施形態７の判定部１２ｄでは、１Ｒ−１Ｇ間のように、サブ画素間で判定を行ったが１Ｒの前や、１６Ｂの後との判定を加えてもよい。１Ｒの前や、１６Ｂの後は、実際にはサブ画素がないため、表示上で階調反転の関係であるかの判断には使えない。しかしながら、デジタル信号として全てのビットにおいて論理反転するかどうかを判定することで、表示周辺部における同時スイッチングにともなうノイズ発生に対応できる。
【０１７１】
以上の説明で、ＲＧＢサブ画素に対応する画像信号ＲＡ，ＧＡ、ＢＡ、ＤＢを夫々２ビットで構成されたデジタル信号としたが、説明の便宜上であり、デジタル信号のビット数を制限するものではない。
【０１７２】
また、本発明の実施形態７に係る表示装置に用いた表示パネル２ｄは、ＲＧＢのサブ画素を用いて説明したが、本発明の表示装置を構成するサブ画素はこれに制限されない。更に、ＲＧＢサブ画素で構成された単位画素が４行４列のマトリクス状に配列されているが、これは図示の簡略化のためであり、なんら画素数を制限するものでは無い。
【０１７３】
また、実施形態７の判定部１２ｄでは、互いに隣接するサブ画素間が反転階調の関係であるか否かをもって位相可変の有無を判定したが、本発明はこれに限定されるものではない。例えば、実施形態１から実施形態５で説明した要素との組み合わせも可能である。
例えば、実施形態１と同様に判定部１２ｄにおける判定に、互いに隣接するサブ画素間の階調差を閾値としてもよい。
【０１７４】
また、実施形態２で説明したように、前記反転階調を有する領域が、所定の単位画素数以上かどうか判定することで、位相差可変処理の出現確率をある程度抑制することができる。このため、表示装置の駆動周波数が高くなった場合に、発生リスクが高まるデータエラーを低減することが可能となる。
【０１７５】
また更に、実施形態７のタイミング制御部１３ｄでは、判定結果Ｒｅｓｕｌｔが１のとき、タイミング制御部１３ｄでＣＬＫＥ及びＣＬＫＯの位相を可変する処理をおこなったが、本発明は位相の可変に限定されるものではない。実施形態１の図７を用いて説明したように、パルス幅の可変（図７（３）参照）や周期の可変（図７（４）参照）を組み合わせてもよい。位相差に組み合わせることで、ノイズを構成する周波数成分をより拡散できるため、ＧＮＤに及ぼす歪みの影響を更に時間軸方向に分散することができる。
【０１７６】
また更に、データ出力部１４ｄにおいては、２つ以上のクロック線で構成してもよい。この場合、実施形態４（図３１の説明）と同様の効果が得られる。
【０１７７】
上記した実施形態７の動作に関しては、次のように言い換えることができる。
ある画像データを用いた場合に、隣接するサブ画素間の階調差分が閾値を越えて十分に大きい場合は、上記した通り判定結果Ｒｅｓｕｌｔが１となり、結合画像信号ＤＢの各ビット信号間の立ち上がりもしくは立下りが確実に同期されない形で出力される。
【０１７８】
このような画像データに対して、画像信号内における最大階調値差をあらかじめ閾値以下に変調しておくことで、判定結果Ｒｅｓｕｌｔが０となり、結合画像信号ＤＢの各ビット信号間の立ち上がり及び立下りが確実に同期して出力させることができる。
このように同じ画像データを用いた場合でも、あらかじめ画像内の最大階調値差のみをコントロールすることで、結合画像信号ＤＢの各ビット信号間の立ち上がり及び立下りにおける同期もしくは非同期の制御が可能である。
【０１７９】
（実施形態８）
実施形態７では、位相差を設ける判定に、互いに隣接するサブ単位間が、階調反転するか否かを閾値として用いたが、実施形態８では、互いに隣接する単位画素間が、階調反転するか否かを閾値として用いることを特徴とする。
【０１８０】
図４２に、一般的なＲＧＢサブ画素で構成されたカラー表示パネルの単位画素における、階調のデジタル信号を示す。ＲＡ［０］，ＲＡ［１］は、Ｒサブ画素の階調を示し、ＧＡ［０］，［１］は、Ｇサブ画素の階調を示し、ＢＡ［０］，ＢＡ［１］は、Ｂサブ画素の階調を示すデジタル信号である。図に示したように、階調反転には、ＲＧＢのサブ画素を全て消灯もしくは点灯とした「黒と白」の他に、サブ画素の組み合わせがある。例えば、Ｒのサブ画素のみ消灯もしくは点灯とした「青緑（シアン）と赤」や、Ｇのサブ画素のみ消灯もしくは点灯とした「赤青（マゼンダ）と緑」や、Ｂのサブ画素のみ消灯もしくは点灯とした、「赤緑（黄色）と青」といった、補色の関係にある組み合わせが該当する。
【０１８１】
実施形態８の構成は、実施形態７に示した図３９に示した構成と同じであるが、位相差を設ける判定に、互いに隣接する単位画素間が、上記した補色の関係を含んだ階調反転の関係にあるか否かを閾値として用いるため、判定部１２ｄの動作が実施形態７とは異なる。
図４３は、判定部１２ｄを含む信号処理部１の動作の例を示すタイミングチャートである。互いに隣接する単位画素間が、階調反転の関係であるか否かは、隣接する単位画素を構成する同色のサブ画素同士が、すべて階調判定の関係であるか否かで行う。
【０１８２】
図４３において、１Ｒの階調値（１１）２に対して、２Ｒの階調値は（００）２であるため、１Ｒ−２Ｒ間は階調値が反転しており、１Ｇ−２Ｇ間と、１Ｂ−２Ｂ間も同様に階調値が（１１）２から（００）２に反転している。また、単位画素の表示は、「白と黒」といったように反転階調の関係となっている。このため、判定部１２ｄは判定結果Ｒｅｓｕｌｔに１をセットしている。
【０１８３】
次に、２Ｒの階調値（００）２に対して、３Ｒの階調値は（１１）２であるため、２Ｒ−３Ｒ間は階調値が反転しているが、２Ｇ−３Ｇ間と、２Ｂ−３Ｂ間は階調値が（００）２から変化していない。また、単位画素の表示は、「黒と赤」といったように反転階調の関係ではない。このため、判定部１２ｄは判定結果Ｒｅｓｕｌｔに０をセットしている。以降同様に、単位画素間が反転階調の関係であるか否かを、順次判定し、判定結果Ｒｅｓｕｌｔをタイミング制御へ出力する。
【０１８４】
また、実施形態７の信号処理部１では、ＣＬＫＥ及びＣＬＫＯの周期は、ＲＡ，ＧＡ，ＢＡの周期の３分の１とし、ＣＬＫＥ及びＣＬＫＯを用いて、ＲＡとＧＡとＢＡを時間軸方向に順序立ててＤＢにラッチしている。実施形態８では、ＲＡ，ＧＡ，ＢＡの周期と同じ周期のＣＬＫＥ及びＣＬＫＯを用いて、ＤＢのビット数を拡張しＲＡ，ＧＡ，ＢＡをパラレルにラッチする。
【０１８５】
ＤＢを６ビットに拡張したことで、ＲＡ［０］〜ＲＡ［１］をＤＢ［０］〜ＤＢ［１］とし、ＧＡ［０］〜ＧＡ［１］をＤＢ［２］〜ＤＢ［３］とし、ＢＡ［０］〜ＢＡ［１］をＤＢ［４］〜ＤＢ［５］と結合することにより、図４１のＤＢの周波数に比べて１／３に低減することができる。このため、ＧＮＤに及ぼす歪みの影響を更に時間軸方向に分散することができる。
【０１８６】
実施形態８の構成及び動作は、上記異なる点以外は実施形態７と同じであるため、説明は省略する。
以上の説明で、ＲＧＢサブ画素に対応する画像信号ＲＡ，ＧＡ、ＢＡ、ＤＢを夫々２ビットで構成されたデジタル信号としたが、説明の便宜上であり、デジタル信号のビット数を制限するものではない。
【０１８７】
また、本発明の実施形態８に係る表示装置に用いた表示パネル２ｄは、実施形態７と同様とし、ＲＧＢのサブ画素を用いて説明したが、本発明の表示装置を構成するサブ画素はこれに制限されない。更に、ＲＧＢサブ画素で構成された単位画素が４行４列のマトリクス状に配列されているが、なんら画素数を制限するものでは無い。
【０１８８】
また、実施形態８の判定部１２ｄでは、互いに隣接する単位画素間が反転階調の関係であるか否かをもって位相可変の有無を判定したが、本発明はこれに限定されるものではない。例えば、実施形態１から実施形態７で説明した要素との組み合わせも可能である。例えば、実施形態１と同様に判定部１２ｄにおける判定に、互いに隣接するサブ画素間の階調差を閾値としてもよい。
【０１８９】
また、実施形態２で説明したように、前記反転階調を有する領域が、所定の単位画素数以上かどうか判定することで、位相差可変処理の出現確率をある程度抑制することができる。このため、表示装置の駆動周波数が高くなった場合に、発生リスクが高まるデータエラーを低減することが可能となる。
【０１９０】
また更に、実施形態８のタイミング制御部１３ｄでは、判定結果Ｒｅｓｕｌｔが１のとき、タイミング制御部１３ｄでＣＬＫＥ及びＣＬＫＯの位相を可変する処理をおこなったが、本発明は位相の可変に限定されるものではない。実施形態１の図７を用いて説明したようにパルス幅の可変（図７（３）参照）や周期の可変（図７（４）参照）を組み合わせてもよい。位相差に組み合わせることで、ノイズを構成する周波数成分をより拡散できるため、ＧＮＤに及ぼす歪みの影響を更に時間軸方向に分散することができる。
【０１９１】
上記した実施形態８の動作に関しては、次のように言い換えることができる。
ある画像データを用いた場合に、隣接する単位画素間の階調差分が閾値を越えて十分に大きい場合は、上記した通り判定結果Ｒｅｓｕｌｔが１となり、結合画像信号ＤＢの各ビット信号間の立ち上がりもしくは立下りが確実に同期されない形で出力される。
【０１９２】
このような画像データに対して、画像信号内における最大階調値差をあらかじめ閾値以下に変調しておくことで、判定結果Ｒｅｓｕｌｔが０となり、結合画像信号ＤＢの各ビット信号間の立ち上がり及び立下りが確実に同期して出力させることができる。
【０１９３】
このように同じ画像データを用いた場合でも、あらかじめ画像内の最大階調値差のみをコントロールすることで、結合画像信号ＤＢの各ビット信号間の立ち上がり及び立下りにおける同期もしくは非同期の制御が可能である。
【０１９４】
なお、実施形態２から実施形態６までにおいて、実施例２または３と同様に、実際の画素レイアウトとして、単位画素の開口形状を台形としてもよい。
【０１９５】
以上、実施形態１から実施形態８に至って本発明を説明したが、本発明は上記各実施形態に限定されるものではない。本発明の構成や詳細については、当業者が理解しえる様々な変更を加えることができる。また、本発明には、各実施形態の構成の一部または全てを相互に適宜組み合わせたものも含まれる。
【符号の説明】
【０１９６】
１，１ａ，１ｂ  信号処理部
２，２ａ，２ｂ，２ｃ，２ｄ  表示パネル
３  第１のパターン
４  第２のパターン
５  ＴＦＴ
６  画素電極
７  共通電極
８  共通電極電源
１０  データドライバ
１１  データ線
１２，１２ｂ，１２ｄ  判定部
１３，１３ｂ，１３ｄ  タイミング制御部
１４，１４ｂ，１４ｄ  データ出力部
１５  立体視選択手段
１６  立体視切替部
２０  ゲートドライバ
２１  ゲート線
３０  第１のサブ画素
３１，３２  第１のサブ画素の単位画素
４０  第２のサブ画素
４１，４２  第２のサブ画素の単位画素
６０  Ｒのパターン
７０  Ｇのパターン
８０  Ｂのパターン
９０  ＲＧＢのサブ画素からなる単位画素
１００  レンチキュラレンズ
１０１  シリンドリカルレンズ
２００  階調０の電位（正極）
２０３  階調３の電位（正極）
３００  階調０の電位（負極）
３０３  階調３の電位（負極）
５００，５１０  閾値プロット
１０００  映像信号供給源
３０３０  第１と第２のパターンに白を表示した際に得られる輝度プロファイル
３０４０  第１に白、第２のパターンに黒を表示した際に得られる輝度プロファイル
４０３０  第１に黒、第２のパターンに白を表示した際に得られる輝度プロファイル
３０３１  輝度プロファイル３０３０における輝度ピーク値
３０４１  輝度プロファイル３０４０における輝度ピーク値
４０３１  輝度プロファイル４０３０における輝度ピーク値
Ｄ１，Ｄ２，Ｄ３，Ｄ４，Ｄ５，Ｄ６，Ｄ７，Ｄ８，Ｄ９，Ｄ１０，Ｄ１１，Ｄ１２  データドライバ出力
Ｇ１，Ｇ２，Ｇ３，Ｇ４，Ｇ５  ゲートドライバ出力
ＤＡ１  第１のパターンの画像信号（第１の画像信号）
ＤＡ２  第２のパターンの画像信号（第２の画像信号）
ＤＡ１”，ＤＡ２”  第１のパターンの画像信号（第１の画像信号）もしくは第２のパターンの画像信号（第２の画像信号）
ＤＢ  ＤＡ１とＤＡ２を結合した画像信号
ｔｆ  立下り期間
ｔｒ，ｔｒ２  立ち上がり期間
ｔｓ  セットアップ期間
ｔｈ  ホールド期間
ＴｆＡ１，ＴｆＡ２  ＤＡ１及びＤＡ２の１フレーム期間
ＴｆＢ１，ＴｆＢ２  ＤＢの１フレーム期間
ＲＡ  Ｒのパターンの画像信号
ＧＡ  Ｇのパターンの画像信号
ＢＡ  Ｂのパターンの画像信号
【図１】
2017032974.tif 000003
【図２】
2017032974.tif 000004
【図３】
2017032974.tif 000005
【図４】
2017032974.tif 000006
【図５】
2017032974.tif 000007
【図６】
2017032974.tif 000008
【図７】
2017032974.tif 000009
【図８】
2017032974.tif 000010
【図９】
2017032974.tif 000011
【図１０】
2017032974.tif 000012
【図１１】
2017032974.tif 000013
【図１２】
2017032974.tif 000014
【図１３】
2017032974.tif 000015
【図１４】
2017032974.tif 000016
【図１５】
2017032974.tif 000017
【図１６】
2017032974.tif 000018
【図１７】
2017032974.tif 000019
【図１８】
2017032974.tif 000020
【図１９】
2017032974.tif 000021
【図２０】
2017032974.tif 000022
【図２２】
2017032974.tif 000023
【図２７】
2017032974.tif 000024
【図２８】
2017032974.tif 000025
【図２９】
2017032974.tif 000026
【図３０】
2017032974.tif 000027
【図３１】
2017032974.tif 000028
【図３２】
2017032974.tif 000029
【図３３】
2017032974.tif 000030
【図３４】
2017032974.tif 000031
【図３５】
2017032974.tif 000032
【図３６】
2017032974.tif 000033
【図３７】
2017032974.tif 000034
【図３８】
2017032974.tif 000035
【図３９】
2017032974.tif 000036
【図４０】
2017032974.tif 000037
【図４１】
2017032974.tif 000038
【図４２】
2017032974.tif 000039
【図４３】
2017032974.tif 000040
【図４４】
2017032974.tif 000041
【図２１】
2017032974.tif 000042
【図２３】
2017032974.tif 000043
【図２４】
2017032974.tif 000044
【図２５】
2017032974.tif 000045
【図２６】
2017032974.tif 000046